(57)【要約】  永久磁石がコアの対向面を通過する際にロータの回転を阻害する力が少なく、ロータの回転負荷トルクを減少させ、わずかな駆動力でロータを回転させることができると共に、コイルに発生する磁界の作用によってロータの回転をアシストし、ロータの回転の変動を抑えて常に略一定で安定した回転を行って大きなトルクを得ることができる回転の効率性、均一性、安定性、省エネルギー性に優れた磁力回転装置の提供。  回転軸に取付けられたロータと、ロータの回転方向に沿って端面の磁極が交互に異なるように永久磁石が複数配置された第一界磁部と、第一界磁部と間隔をあけて配置され一端部に第一界磁部とギャップを介して対向する第一対向面を有し各々が磁気的に絶縁された複数のコアと、各々のコアに独立して巻回された複数のコイルと、複数のコイルの各々の端末同士をロータの回転開始時はオープンにしロータの回転開始後はショートさせるスイッチング部と、を備える。
2015076400.tif 000002
【特許請求の範囲】
【請求項１】
回転軸に取り付けられたロータと、前記ロータの回転方向に沿って端面の磁極が交互に異なるように永久磁石が複数配置された第一界磁部と、前記第一界磁部と間隔をあけて配置され一端部に前記第一界磁部とギャップを介して対向する第一対向面を有し各々が磁気的に絶縁された複数のコアと、各々の前記コアに独立して巻回された複数のコイルと、前記ロータの回転開始時は複数の前記コイルの各々の端末同士をオープンにし前記ロータの回転開始後は複数の前記コイルの各々の端末同士をショートさせるスイッチング部と、を備えたことを特徴とする磁力回転装置。
【請求項２】
前記第一界磁部の前記永久磁石と前記コアが、それぞれ等角度間隔で配置される時に、前記第一界磁部の前記永久磁石の数と前記コアの数とが互いに相手方の数の整数倍でないことを特徴とする請求項１に記載の磁力回転装置。
【請求項３】
前記スイッチング部が、各々の前記コイルの端末間に接続されたブリッジ整流器と、各々の前記ブリッジ整流器の出力端子を並列に接続する並列回路と、前記並列回路のオンとオフを切替える切替部と、を備えたことを特徴とする請求項１又は２に記載の磁力回転装置。
【請求項４】
強磁性体で形成され、前記第一界磁部の前記永久磁石の前記ロータ側の端部及び前記ロータの回転方向の両側部を囲繞する第一永久磁石囲繞部を備えたことを特徴とする請求項１乃至３の内いずれか１項に記載の磁力回転装置。
【請求項５】
常磁性材料で形成され、前記第一界磁部の外周を囲繞して前記ロータと共に回転する第一ロータ囲繞部を備えたことを特徴とする請求項１乃至４の内いずれか１項に記載の磁力回転装置。
【請求項６】
前記第一界磁部が、強磁性体で表面が前記永久磁石の軌道面に沿うように山形状又は円弧状に形成され各々の前記永久磁石の前記コア側の端面に固着されて表面から出る磁束を分散させて均一化させる第一磁束遮蔽部材を備えたことを特徴とする請求項１乃至５の内いずれか１項に記載の磁力回転装置。
【請求項７】
前記ロータの回転方向に沿って端面の磁極が交互に異なり、かつ、前記ロータの回転方向と略直交する位置に配置された永久磁石同士の端面の磁極が異なるように前記第一界磁部と並設された第二界磁部と、前記コアの他端部に形成され前記第二界磁部とギャップを介して対向する第二対向面と、を備え、前記ロータの回転方向と略直交する位置に配置された前記第一界磁部の永久磁石の端面の中心と前記第二界磁部の永久磁石の端面の中心とを結ぶ界磁側中心線と、前記第一対向面の中心と前記第二対向面の中心とを結ぶコア側中心線と、の間にずれ角αが形成されていることを特徴とする請求項１乃至６の内いずれか１項に記載の磁力回転装置。
【請求項８】
強磁性体で形成され、前記第二界磁部の前記永久磁石の前記ロータ側の端部及び前記ロータの回転方向の両側部を囲繞する第二永久磁石囲繞部を備えたことを特徴とする請求項７に記載の磁力回転装置。
【請求項９】
常磁性材料で形成され、前記第二界磁部の外周を囲繞して前記ロータと共に回転する第二ロータ囲繞部を備えたことを特徴とする請求項７又は８に記載の磁力回転装置。
【請求項１０】
前記第二界磁部が、強磁性体で表面が前記永久磁石の軌道面に沿うように山形状又は円弧状に形成され各々の前記永久磁石の前記コア側の端面に固着されて表面から出る磁束を分散させて均一化させる第二磁束遮蔽部材を備えたことを特徴とする請求項７乃至９の内いずれか１項に記載の磁力回転装置。
【請求項１１】
請求項１乃至１０の内いずれか１項に記載の磁力回転装置と、前記磁力回転装置の前記回転軸を回転させる駆動用モータと、を備えたことを特徴とする磁力アシスト付きモータ。
【発明の詳細な説明】
【技術分野】
【０００１】
本発明は、永久磁石を配置したロータを小さな力で効率よく安定的に回転させることにより、大きなトルクを得ることができ、省エネルギー性に優れ、特に発電機の駆動に好適に用いることができる磁力回転装置及びそれを用いた磁力アシスト付きモータに関するものである。
【背景技術】
【０００２】
従来より、磁石を多数配置したロータと、ステータコイルを有するステータと、を備え、ロータを回転させることによりステータコイルに誘導電圧を生じさせる発電機が知られている。
永久磁石を使用した従来の同期発電機の場合、永久磁石が配置された磁極ロータを回転させると、永久磁石がステータコイルのコアの対向面を通過する際にコアから受ける反発力や吸引力の影響により回転が妨げられ、磁極ロータの回転負荷トルクが大きくなり、磁極ロータを回転させる駆動モータの負荷電流が著しく大きくなる結果、磁極ロータを回転させるための消費電力が著しく増大し、発電機の発電効率が大幅に低下するという問題点があった。
よって、発電機の発電効率を向上させるためには、小さな駆動力でロータを回転させる必要があり、そのためにはコアから受ける反発力や吸引力がロータの回転の妨げ（抵抗）とならないようにしなければならないが、逆に、この磁力による反発力や吸引力を上手く利用することができれば、小さな駆動力でロータを回転させることができる。
例えば（特許文献１）には、電磁石のコイルと誘導起電力を発生させるための導体を短絡させたユニットを円周方向に配置したロータと、導体と平行に配置した誘導起電力発生用磁石及び電磁石と垂直に配置したトルク発生用磁石を有し、ロータ又はステータを回転させることで誘導起電力を発生させ、ロータの電磁石を磁化させて、トルク発生用磁石との間に反発力・吸着力を発生させる無電源アシストモーターが開示されている。
【先行技術文献】
【特許文献】
【０００３】
【特許文献１】実用新案登録第３０９２１５９号公報
【発明の概要】
【発明が解決しようとする課題】
【０００４】
しかしながら上記従来の技術においては、以下のような課題を有していた。
（１）（特許文献１）では、誘導起電力発生用磁石及びトルク発生用磁石の磁極の配置が記載されていないため、これらの磁界がどのように作用するのかが不明であり、磁化した電磁石とトルク発生用磁石との間に、どのようなタイミングで反発力や吸着力が働くのか明確に理解することができない。しかし、電磁石とトルク発生用磁石が対向する位置を回転のスタート位置として、ロータを小さな力で回転させるためには、電磁石とトルク発生用磁石との間に反発力が働き、電磁石と誘導起電力発生用磁石との間に吸着力が働く必要があると考えられる。
つまり、トルク発生用磁石と対向した電磁石がトルク発生用磁石から反発を受けると共に、誘導起電力発生用磁石に吸引されることにより、ロータを回転させる力が働くと考えられるが、誘導起電力発生用磁石と対向する位置にある電磁石は誘導起電力発生用磁石に吸引され続けるため、ブレーキがかかり、そこから先に回転することは困難であるものと思われる。
よって、実際には、ロータを回転させることは不可能か、或いは可能であっても極めて大きな駆動力が必要であり、大きなトルク（出力）を得ることはできず、回転の効率性、出力の安定性に欠けるという課題を有していると考えられる。
（２）また、ロータの電磁石の数がトルク発生用磁石の数の４倍（整数倍）の１６個で等角度間隔で配置されていることにより、４つのトルク発生用磁石から電磁石に対して、常に同時に反発力又は吸着力が作用すると考えられるので、一度ブレーキがかかって回転が止まってしまうと、そこから回転させることは極めて困難であり、動作の確実性、安定性に欠けるという課題を有していると考えられる。
（３）さらに、誘導起電力発生用磁石及びトルク発生用磁石が必要であるため、構成が複雑で部品点数が多く、量産性、組立て作業性に欠けるという課題を有している。【０００５】
本発明は上記従来の課題を解決するもので、永久磁石がコアの対向面を通過する際にコアからロータの回転を阻害する方向に働く反発力や吸引力が少なく、ロータの回転負荷トルクを減少させ、わずかな駆動力でロータを回転させることができると共に、コイルに発生する磁界の作用によってロータの回転をアシストし、ロータの回転の変動を抑えて常に略一定で安定した回転を行って大きなトルクを得ることができる回転の効率性、均一性、安定性、省エネルギー性に優れた磁力回転装置及びそれを用いた磁力アシスト付きモータを提供することを目的とする。
【課題を解決するための手段】
【０００６】
上記従来の課題を解決するために本発明の磁力回転装置及びそれを用いた磁力アシスト付きモータは、以下の構成を有している。
請求項１に記載の磁力回転装置は、回転軸に取り付けられたロータと、前記ロータの回転方向に沿って端面の磁極が交互に異なるように永久磁石が複数配置された第一界磁部と、前記第一界磁部と間隔をあけて配置され一端部に前記第一界磁部とギャップを介して対向する第一対向面を有し各々が磁気的に絶縁された複数のコアと、各々の前記コアに独立して巻回された複数のコイルと、前記ロータの回転開始時は複数の前記コイルの各々の端末同士をオープンにし前記ロータの回転開始後は複数の前記コイルの各々の端末同士をショートさせるスイッチング部と、を備えた構成を有している。
この構成により、以下のような作用が得られる。
（１）各々のコアに独立して巻回された複数のコイルと、ロータの回転開始時は複数のコイルの各々の端末同士をオープンにしロータの回転開始後は複数のコイルの各々の端末同士をショートさせるスイッチング部を有するので、回転開始時にコイルの各々の端末同士をオープンにして電磁誘導によりコイルに電流が流れないようにして、コイルが磁化しないようにすることで、ロータの回転負荷トルクを著しく減少させ、わずかな駆動力でロータを回転させることができる。この結果、駆動用モータ等の回転駆動装置を小型化することができ、駆動時の省力性、省電力性に優れると共に、回転開始後はコイルの各々の端末同士をショートさせ電磁誘導によってコイルに流れる電流でコイルを磁化させ、コイルに発生する磁界の作用によって永久磁石との間に発生する反発力及び吸引力によってロータを回転させ、ロータの回転の変動を抑えて常に略一定の安定した回転を行って、出力を高めることができ、回転の効率性、均一性、出力の安定性、省エネルギー性に優れる。
（２）ロータの回転開始時と回転開始後に、スイッチング部により複数のコイルの各々の端末同士のオープンとショートを切替えるだけで、容易に回転開始時のロータの回転負荷トルクを低減させると共に、回転開始後のロータの回転を安定化させることができ、ロータの回転中に複雑な操作などを行う必要がなく、操作を簡素化することができ、量産性、制御の容易性に優れる。【０００７】
ここで、ロータとしては、円柱状や多角柱状等の柱状、板状等に形成されたものを用いることができる。柱状に形成されたロータに対しては、ロータの外周面に永久磁石を配置することができ、板状に形成されたロータに対しては、ロータの平板面に永久磁石を配置することができる。ロータが回転して永久磁石からコアに導かれた磁束が変化すると、電磁誘導によりコイルに電流が流れてコイルが磁化し、永久磁石との間に反発力或いは吸引力が作用する。
ロータの回転軸は、駆動用モータ等の回転駆動装置のほか、風車や水車等の動力発生源に連結することができ、回転駆動装置の駆動力や風力、水力等により、小さな力でロータを回転させて大きな出力（トルク）を得ることができ、省エネルギー性に優れる。よって、自動車，船舶，鉄道，航空機，建設機械等に搭載する発電機等に動力を伝達するための回転装置や工場，店舗，住宅等に電力を供給する自家発電用等の発電機等に動力を伝達するための回転装置として好適に用いて、発電機の発電効率を高めることができる。【０００８】
永久磁石としては、アルニコ磁石、フェライト磁石、Ｆｅ−Ｃｒ−Ｃｏ磁石、サマリウム系，ネオジウム系等の希土類磁石等の中から、適宜選択して用いることができる。大きな出力を得る場合には、磁束密度も保磁力も大きな希土類磁石、特にネオジウム系の永久磁石を用いるのが好ましい。
永久磁石は、一つの部材で塊状等に形成したものを用いてもよいし、板状の永久磁石を複数枚吸着させて重ねて塊状に形成したものを用いてもよい。永久磁石のコア側の端面の形状は、特に限定する必要はなく、矩形状、円形状等の種々の形状を採用することができる。
端面の磁極が交互に異なるように複数の永久磁石をロータの外周面若しくは平板面に配置し、第一界磁部が構成される。
尚、ロータの回転方向に配置する永久磁石及びコア（コイル）の数や配置は、適宜、選択することができるが、等角度間隔で配置することにより、コイルに発生する磁界を円周方向に均等に作用させて、ロータの回転の変動を効果的に抑えることができ、ロータの回転の均一性、安定性、効率性に優れる。【０００９】
スイッチング部は、複数のコイルの各々の端末同士のオープンとショートを切替えることができればよい。複数のコイルの各々の端末間に設けたスイッチでそれぞれのコイルのオープンとショートを個別に切替えてもよいし、各々のコイルの端末間に接続したブリッジ整流器同士を並列に接続して並列回路を形成し、並列回路に設けた１つのスイッチ（切替部）で回路全体のオンとオフを切替えて、全てのコイルのオープンとショートをまとめて切替えてもよい。
尚、スイッチング部は、ロータの回転の有無或いはロータの回転数などを検出してオープンとショートの切替えを自動的に行うものが好適に用いられる。特に、ロータの回転数を検出する回転数検出部を有し、回転数検出部で検出した回転数が予め設定した設定回転数以上になった時に切替部で全てのコイルの各々の端末同士をオープンからショートに切替えるスイッチング部を用いれば、制御の信頼性、動作の安定性、発電の効率性に優れる。【００１０】
請求項２に記載の発明は、請求項１に記載の磁力回転装置であって、前記第一界磁部の前記永久磁石と前記コアが、それぞれ等角度間隔で配置される時に、前記第一界磁部の前記永久磁石の数と前記コアの数とが互いに相手方の数の整数倍でない構成を有している。
この構成により、請求項１で得られる作用に加え、以下のような作用が得られる。
（１）永久磁石から各々のコアに導かれる磁束はロータの回転に従って変化するが、第一界磁部の永久磁石とコアが、それぞれ等角度間隔で配置される時に、第一界磁部の永久磁石の数とコアの数とが互いに相手方の数の整数倍でないことにより、全てのコアが同時に永久磁石と重なることや全ての永久磁石が同時にコアと重なることがなく、少しずつタイミングをずらしながら各々のコイルを順次、磁化させることができ、全てのコイルから同時に反発力或いは吸引力が作用することがないので、ロータの回転にブレーキがかかることがなく、いずれかのコイルと永久磁石の間に働く反発力或いは吸引力によってロータの回転を助けて、ロータを安定して回転させることができ、ロータの回転の安定性、効率性、省エネルギー性に優れる。【００１１】
ここで、永久磁石とコアが、それぞれ等角度間隔で配置される時に、永久磁石の数がコアの数の整数倍（等しい場合も含む）になっている場合、各々のコアとそれに対向する永久磁石との位置関係が全て一致するため、ロータの回転時に永久磁石から各々のコアに導かれる磁束の変化も等しくなり、全てのコイルから対向する永久磁石に対して同じタイミングで反発力或いは吸引力が作用することになる。また、コアの数が永久磁石の数の整数倍（等しい場合も含む）になっている場合も、同様に、各々の永久磁石とそれに対向するコアとの位置関係が全て一致するため、ロータの回転時に各々の永久磁石から対向するコアに導かれる磁束の変化も等しくなり、全ての永久磁石に対して対向するコイルから同じタイミングで反発力或いは吸引力が作用することになる。
よって、これらの場合には、その反発力或いは吸引力が全て同時にロータの回転を妨げる方向に作用して大きなブレーキとなることがあるので、これを防止するために、永久磁石の数とコアの数とが互いに相手方の数の整数倍でないようにすることが有効である。特に、永久磁石の数とコアの数とが互いに素になっている場合、両者の間に１以外の公約数がないため、複数の永久磁石とコアが同時に重なることがなく、反発力或いは吸引力の発生のタイミングを均一に分散させることができ、ロータの回転の安定性に優れる。【００１２】
請求項３に記載の発明は、請求項１又は２に記載の磁力回転装置であって、前記スイッチング部が、各々の前記コイルの端末間に接続されたブリッジ整流器と、各々の前記ブリッジ整流器の出力端子を並列に接続する並列回路と、前記並列回路のオンとオフを切替える切替部と、を備えた構成を有している。
この構成により、請求項１又は２で得られる作用に加え、以下のような作用が得られる。
（１）スイッチング部が、各々のコイルの端末間に接続されたブリッジ整流器を有することにより、各々のコイルを流れる交流電流を直流電流に変換して出力することができるので、各々のブリッジ整流器の出力端子を並列に接続して並列回路を形成することができ、１つの切替部で並列回路のオンとオフを切替えるだけで、全てのコイルの各々の端末同士のショートとオープンを同時に切替えることが可能で、回路を簡素化することができ、動作の簡便性、確実性、安定性に優れる。【００１３】
請求項４に記載の発明は、請求項１乃至３の内いずれか１項に記載の磁力回転装置であって、強磁性体で形成され、前記第一界磁部の前記永久磁石の前記ロータ側の端部及び前記ロータの回転方向の両側部を囲繞する第一永久磁石囲繞部を備えた構成を有している。
この構成により、請求項１乃至３の内いずれか１項で得られる作用に加え、以下のような作用が得られる。
（１）強磁性体で形成され、第一界磁部の永久磁石のロータ側の端部及びロータの回転方向の両側部を囲繞する第一永久磁石囲繞部を有することにより、磁束の漏洩を抑え、永久磁石のコア側の端面での磁束密度を高められるので、コアに導かれる磁束密度も高くなり、コイルで発生する反発力や吸引力も増大させて、ロータの回転を補助することができ、ロータの回転の安定性、駆動の効率性に優れる。
（２）第一界磁部の永久磁石のロータ側の端部及びロータの回転方向の両側部を囲繞する第一永久磁石囲繞部を有することにより、永久磁石の外周を保護できると共に、第一永久磁石囲繞部で永久磁石を簡単かつ確実に固定してロータからの永久磁石の脱落を防ぐことができ、組立作業性、耐久性に優れる。【００１４】
ここで、第一永久磁石囲繞部を形成する強磁性体としては、鉄、ケイ素鉄、パーマロイ、フェライト、アルニコ合金等を用いることができる。
また、第一永久磁石囲繞部は永久磁石のロータ側の端部及びロータの回転方向の両側部を囲繞するものであればよく、その形状は永久磁石の形状に応じて適宜、選択することができる。特に、永久磁石を直方体状や立方体状に形成する場合、第一永久磁石囲繞部を断面略Ｕ字型に形成することにより、内周面を永久磁石のロータ側の端部及びロータの回転方向の両側部に密着させることができ、永久磁石の固定安定性、磁束の漏洩防止の信頼性に優れる。
第一永久磁石囲繞部はロータの外面に固着することができるが、ロータの外面の一部を、鉄，ケイ素鉄，パーマロイ等の強磁性体で形成し、第一永久磁石囲繞部の一部として用いてもよい。【００１５】
請求項５に記載の発明は、請求項１乃至４の内いずれか１項に記載の磁力回転装置であって、常磁性材料で形成され、前記第一界磁部の外周を囲繞して前記ロータと共に回転する第一ロータ囲繞部を備えた構成を有している。
この構成により、請求項１乃至４の内いずれか１項で得られる作用に加え、以下のような作用が得られる。
（１）常磁性材料で形成され、第一界磁部の外周を囲繞してロータと共に回転する第一ロータ囲繞部を有することにより、第一ロータ囲繞部にロータの回転方向と同じ向きに力が働き、ロータの回転を加速或いは安定化させることができ、回転の効率性、安定性に優れ、出力されるトルクの増加、安定化を図ることができる。これは、ロータの回転時にコイルに磁界が発生し、その中を第一ロータ囲繞部が通過することにより、渦電流が発生し、その磁界の作用によって第一ロータ囲繞部をロータの回転方向に付勢する力が発生しているためと考えている。
（２）第一界磁部の外周を第一ロータ囲繞部で囲繞することにより、ロータの回転時に、ロータ表面に突出した永久磁石が抵抗となることがなく、ロータをスムーズに回転させることができ、回転の効率性に優れると共に、ロータ外周の気流を安定させて、風切り音を低減することができ、低騒音性に優れる。
（３）第一界磁部の外周を囲繞する第一ロータ囲繞部によって永久磁石の外表面を確実に固定し、永久磁石の落下を防止することができ、永久磁石の固定の安定性、動作の確実性に優れる。【００１６】
ここで、第一ロータ囲繞部は常磁性材料で形成されるが、特にアルミニウムが好適に用いられる。第一ロータ囲繞部は、初めから円筒状などに成型したものを第一界磁部の外周に嵌合するようにして取り付けてもよいし、シート状（帯状）に形成したものを巻き付けるようにして取り付けてもよい。特に、シート状（帯状）で裏面に接着層を有するものは簡単に固定することができ、組立作業性に優れる。尚、ロータの外周面と永久磁石表面との段差を埋めるために永久磁石の側部外周（円周方向に配置される永久磁石と永久磁石の間）にスペーサを配置してもよい。【００１７】
請求項６に記載の発明は、請求項１乃至５の内いずれか１項に記載の磁力回転装置であって、前記第一界磁部が、強磁性体で表面が前記永久磁石の軌道面に沿うように山形状又は円弧状に形成され各々の前記永久磁石の前記コア側の端面に固着されて表面から出る磁束を分散させて均一化させる第一磁束遮蔽部材を備えた構成を有している。
この構成により、請求項１乃至５の内いずれか１項で得られる作用に加え、以下のような作用が得られる。
（１）第一界磁部が、強磁性体で表面が前記永久磁石の軌道面に沿うように山形状又は円弧状に形成され各々の永久磁石のコア側の端面に固着されて表面から出る磁束を分散させて均一化させる第一磁束遮蔽部材を備えていることにより、永久磁石の磁束が第一磁束遮蔽部材に導かれ、第一磁束遮蔽部材から出た磁束がコアに導かれる際に、磁束は永久磁石の軌道面に沿うように分散してタイミングをずらしながらコアに向かうので、第一磁束遮蔽部材がコアの第一対向面を通過する際に第一磁束遮蔽部材が単位時間当たりにコアから受ける吸引力（回転を阻害する力）も分散して小さくなる。これにより、わずかな駆動力でロータを回転させることができ、回転効率を向上させることができる。【００１８】
ここで、第一磁束遮蔽部材としては、鉄，ケイ素鉄，パーマロイ，フェライト，アルニコ合金（Ｆｅ−Ａｌ−Ｎｉ−Ｃｏ合金）等の強磁性体で、塊状，板状等に形成されたものを用いることができる。硬磁性体，軟磁性体のいずれも用いることができ、着磁を施したものを用いることもできる。着磁を施した第一磁束遮蔽部材は、異方性、等方性のいずれも用いることができるが、異方性の第一磁束遮蔽部材を用いる場合は、配向方向がロータの回転方向に沿って向くように、第一磁束遮蔽部材を永久磁石に固着するのが望ましい。回転方向に沿って隣り合う第一磁束遮蔽部材間を結ぶ漏れ磁束を増加させ、ロータの回転負荷トルクを減少させられるからである。
第一磁束遮蔽部材は、厚いものを永久磁石の端面に一枚固着することができる。また、薄い第一磁束遮蔽部材を複数枚重ねて、永久磁石の端面に固着することもできる。
永久磁石の種類に応じて、第一磁束遮蔽部材の材質を適宜選択することができる。材質によって第一磁束遮蔽部材の透磁率が変わり、磁気飽和を起こす磁束密度が変わり漏洩磁束が生じるからである。特に、保磁力が永久磁石材料の保磁力よりも小さい第一磁束遮蔽部材の中で、できるだけ保磁力が大きなものが用いられる。例えば、永久磁石として希土類磁石を用いた場合は、フェライト，アルニコ合金等の強磁性体が好適に用いられる。さらに、強磁性体に着磁を施したフェライト磁石，アルニコ磁石等の着磁処理済強磁性体が好適に用いられる。第一磁束遮蔽部材から出る磁束密度を大きくでき、回転出力を上げられるからである。【００１９】
第一磁束遮蔽部材の大きさとしては、永久磁石の端面より小さくて、端面の一部を覆うようなものでもよいが、端面と同一の大きさかそれより大きくするのが好ましい。永久磁石の端面を完全に覆うことにより、端面から出る磁束のほとんど全てを第一磁束遮蔽部材の中に入れるためである。
第一磁束遮蔽部材の材質や形状、大きさ、厚さ、枚数等を適宜選択することにより、第一磁束遮蔽部材がコアから受ける反発力や吸引力を設計することができる。
第一磁束遮蔽部材は、永久磁石の端面に密接して固着してもよいし、適当な間隔をあけて固着してもよい。固着する手段としては、ボルト等の締結部材や接着剤等を用いることができる。また、合成樹脂製等で形成されたケース内に永久磁石と第一磁束遮蔽部材を収容することもできる。【００２０】
コアの第一対向面と対向する第一磁束遮蔽部材の表面の形状は、永久磁石の端面の回転軌道面の形状に応じて、第一磁束遮蔽部材から出る磁束を均一化（分散）させるように適宜、設計することができる。具体的には、柱状に形成されたロータの外周面に永久磁石を配置した場合には、永久磁石の端面の回転軌道面は立体的な円環帯状面となるので、第一磁束遮蔽部材の表面は、中央部を突き出した円弧状（湾曲状）や山形状等に形成するのが好ましい。また、板状に形成されたロータの平板面に永久磁石を配置した場合には、永久磁石の端面の回転軌道面は平面的な円環状となるので、第一磁束遮蔽部材の表面は、平坦状に形成するのが好ましい。
コアは、アルミニウム，ステンレス鋼，真鍮等の非磁性材料や合成樹脂等で形成されたケーシングに取り付けられ、磁気的に絶縁される。【００２１】
第一磁束遮蔽部材と、第一磁束遮蔽部材と対向する第一対向面と、の間隔（ギャップ）は、回転効率に影響を与える。該間隔（ギャップ）を小さくすることで、回転効率を向上させることができ、回転数が低い場合でも大きなトルクを発生させることができる。このため、第一磁束遮蔽部材と第一対向面との間隔を調整する間隔調整手段を設けるのが望ましい。第一界磁部の外側にコアを配置して磁力回転装置を組立てる際、第一磁束遮蔽部材と第一対向面との間隔を、間隔調整手段を用いて所定の範囲内に調整することで、回転効率を高められるからである。
間隔調整手段としては、電動式，油圧式，機械式等の駆動機構を有し、永久磁石やコアを上下方向や左右方向に移動自在にして、第一磁束遮蔽部材と第一対向面の間隔を調整するものが用いられる。
尚、第一界磁部の外周を第一ロータ囲繞部で囲繞する場合は、第一磁束遮蔽部材の外表面を第一ロータ囲繞部で囲繞すればよい。【００２２】
請求項７に記載の発明は、請求項１乃至６の内いずれか１項に記載の磁力回転装置であって、前記ロータの回転方向に沿って端面の磁極が交互に異なり、かつ、前記ロータの回転方向と略直交する位置に配置された永久磁石同士の端面の磁極が異なるように前記第一界磁部と並設された第二界磁部と、前記コアの他端部に形成され前記第二界磁部とギャップを介して対向する第二対向面と、を備え、前記ロータの回転方向と略直交する位置に配置された前記第一界磁部の永久磁石の端面の中心と前記第二界磁部の永久磁石の端面の中心とを結ぶ界磁側中心線と、前記第一対向面の中心と前記第二対向面の中心とを結ぶコア側中心線と、の間にずれ角αが形成されている構成を有している。
この構成により、請求項１乃至６の内いずれか１項で得られる作用に加え、以下のような作用が得られる。
（１）第一界磁部の永久磁石の端面の中心と第二界磁部の永久磁石の端面の中心とを結ぶ界磁側中心線と、第一対向面の中心と第二対向面の中心とを結ぶコア側中心線と、の間にずれ角αが形成されているので、ロータの回転により、第一界磁部がコアから吸引力（又は反発力）を受けているときに、第二界磁部がコアから反発力（又は吸引力）を受けることになり、ロータのいかなる位相においてもロータの回転を阻害するコアの磁界磁力を軽減させることができ、ロータの回転負荷トルクを軽減させることができる。【００２３】
ここで、第二界磁部における永久磁石は、前述の第一界磁部における永久磁石と同様のものなので、説明を省略する。
磁力回転装置が第一界磁部と並設された第二界磁部を有する場合、コアは略Ｕ字型或いは馬蹄形に形成され、コアの一端部に第一界磁部とギャップを介して対向する第一対向面が形成され、他端部に第二界磁部とギャップを介して対向する第二対向面が形成される。そして、各々のコアの一端部側及び他端部側にコイルが巻回されており、請求項１と同様に、全てのコイルの端末同士のオープンとショートをスイッチング部で切替える。
ずれ角αは、ロータの回転方向と略直交する位置に配置された第一界磁部の永久磁石の端面の中心と第二界磁部の永久磁石の端面の中心とを結ぶ界磁側中心線と、第一対向面の中心と第二対向面の中心とを結ぶコア側中心線と、を求め、ロータの中心軸と界磁側中心線との間に投影面を置き、ロータの中心軸を視点として、界磁側中心線とコア側中心線上の任意の点と視点とを直線（投影線）で結んだ場合に、投影面上に形成された投影図における界磁側中心線とコア側中心線とのなす角である。
ずれ角αとしては、１〜２０°好ましくは３〜１０°が好適に用いられる。ずれ角αが３°より小さくなるにつれ、コアの磁界磁力により第一界磁部と第二界磁部が受ける吸引力や反発力によりコッキング（ロータの回転動作がギクシャクする現象）が生じ易くなるとともに、回転負荷トルクの軽減効果が低下する傾向がみられ、１０°より大きくなるにつれコイルに生じる電流に位相差が生じ吸引力や反発力が低下する傾向がみられる。特に、１°より小さくなるか２０°より大きくなると、これらの傾向が著しくなるため、いずれも好ましくない。【００２４】
請求項８に記載の発明は、請求項７に記載の磁力回転装置であって、強磁性体で形成され、前記第二界磁部の前記永久磁石の前記ロータ側の端部及び前記ロータの回転方向の両側部を囲繞する第二永久磁石囲繞部を備えた構成を有している。
この構成により、請求項７で得られる作用に加え、以下のような作用が得られる。
（１）強磁性体で形成され、第二界磁部の永久磁石のロータ側の端部及びロータの回転方向の両側部を囲繞する第二永久磁石囲繞部を有することにより、磁束の漏洩を抑え、永久磁石のコア側の端面での磁束密度を高められるので、コアに導かれる磁束密度も高くなり、コイルで発生する反発力や吸引力も増大して、ロータの回転を補助することができ、ロータの回転の安定性、駆動の効率性に優れる。
（２）第二界磁部の永久磁石のロータ側の端部及びロータの回転方向の両側部を囲繞する第二永久磁石囲繞部を有することにより、永久磁石の外周を保護できると共に、第二永久磁石囲繞部で永久磁石を簡単かつ確実に固定してロータからの永久磁石の脱落を防ぐことができ、組立作業性、耐久性に優れる。【００２５】
ここで、第二永久磁石囲繞部の材質、形状、構造などは第一永久磁石囲繞部と同様なので説明を省略する。
尚、第一永久磁石囲繞部と第二永久磁石囲繞部は別々に独立して形成してもよいし、一体に形成或いは連結して形成してもよい。第一永久磁石囲繞部と第二永久磁石囲繞部を一体に形成或いは連結して形成した場合、１つの永久磁石囲繞部の両端側に、第一界磁部の永久磁石の他端面と第二界磁部の永久磁石の他端面とを固着することができ、さらに永久磁石の減磁を抑制することができる。【００２６】
請求項９に記載の発明は、請求項７又は８に記載の磁力回転装置であって、常磁性材料で形成され、前記第二界磁部の外周を囲繞して前記ロータと共に回転する第二ロータ囲繞部を備えた構成を有している。
この構成により、請求項７又は８で得られる作用に加え、以下のような作用が得られる。
（１）常磁性材料で形成され、第二界磁部の外周を囲繞してロータと共に回転する第二ロータ囲繞部を備えることにより、第二ロータ囲繞部にロータの回転方向と同じ向きに力が働き、ロータの回転を加速或いは安定化させることができ、回転の効率性、安定性に優れ、出力されるトルクの増加、安定化を図ることができる。これは、ロータの回転時にコイルに磁界が発生し、その中を第二ロータ囲繞部が通過することにより、渦電流が発生するため、その磁界の作用によって第二ロータ囲繞部をロータの回転方向に付勢する力が発生していると考えている。
（２）第二界磁部の外周を第二ロータ囲繞部で囲繞することにより、ロータの回転時に、ロータ表面に突出した永久磁石が抵抗となることがなく、ロータをスムーズに回転させることができ、回転の効率性に優れると共に、ロータ外周の気流を安定させて、風切り音を低減することができ、低騒音性に優れる。
（３）第二界磁部の外周を囲繞する第二ロータ囲繞部によって永久磁石の外表面を確実に固定し、永久磁石の落下を防止することができ、永久磁石の固定の安定性、動作の確実性に優れる。【００２７】
ここで、第二ロータ囲繞部は第一ロータ囲繞部と同様なので説明を省略する。尚、第一ロータ囲繞部と第二ロータ囲繞部は独立して形成してもよいし、一体に形成或いは連結して形成してもよい。【００２８】
請求項１０に記載の発明は、請求項７乃至９の内いずれか１項に記載の磁力回転装置であって、前記第二界磁部が、強磁性体で表面が前記永久磁石の軌道面に沿うように山形状又は円弧状に形成され各々の前記永久磁石の前記コア側の端面に固着されて表面から出る磁束を分散させて均一化させる第二磁束遮蔽部材を備えた構成を有している。
この構成により、請求項７乃至９の内いずれか１項で得られる作用に加え、以下のような作用が得られる。
（１）第二界磁部が、強磁性体で表面が前記永久磁石の軌道面に沿うように山形状又は円弧状に形成され各々の永久磁石のコア側の端面に固着されて表面から出る磁束を分散させて均一化させる第二磁束遮蔽部材を備えていることにより、永久磁石の磁束が第二磁束遮蔽部材に導かれ、第二磁束遮蔽部材から出た磁束がコアに導かれる際に、磁束は永久磁石の軌道面に沿うように分散してタイミングをずらしながらコアに向かうので、第二磁束遮蔽部材がコアの第二対向面を通過する際に第二磁束遮蔽部材が単位時間当たりにコアから受ける吸引力（回転を阻害する力）も分散して小さくなる。これにより、わずかな駆動力でロータを回転させることができ、回転効率を向上させることができる。【００２９】
ここで、第二界磁部における第二磁束遮蔽部材としては、前述の第一界磁部における第一磁束遮蔽部材と同様のものなので、説明を省略する。また、第二磁束遮蔽部材とコアの第二対向面とのギャップについても、前述の第一磁束遮蔽部材とコアの第一対向面とのギャップと同様なので、説明を省略する。
尚、第二磁束遮蔽部材の底面も、第一磁束遮蔽部材の底面と同様に、永久磁石の端面に密接させるのが好ましい。
また、第一磁束遮蔽部材と第二磁束遮蔽部材は独立して形成してもよいし、一体に形成或いは連結して形成してもよい。【００３０】
請求項１１に記載の磁力アシスト付きモータは、請求項１乃至１０の内いずれか１項に記載の磁力回転装置と、前記磁力回転装置の前記回転軸を回転させる駆動用モータと、を備えた構成を有している。
この構成により、以下のような作用が得られる。
（１）磁力回転装置の回転軸を回転させる駆動用モータを小型化することができ、小さな力で磁力回転装置のロータを回転させて大きな出力（トルク）を得ることができ、省エネルギー性、駆動効率性に優れるので、自動車，船舶，鉄道，航空機，建設機械等に搭載する発電機等の駆動や工場，店舗，住宅等に電力を供給する自家発電用等の発電機等を駆動するのに好適な省エネルギー型のモータとして用いることができる。【００３１】
ここで、磁力回転装置のロータの回転開始時は複数のコイルの各々の端末同士をオープンにすることにより、ロータの回転負荷トルクを著しく減少させ、わずかな駆動力でロータを回転させることができるので、駆動用モータを小型化することができるが、回転開始後に磁力回転装置のコイルの各々の端末同士をショートさせることにより、電磁誘導によってコイルに流れる電流でコイルを磁化させ、コイルと永久磁石との間に発生する反発力及び吸引力でロータの回転をアシストすることができるため、駆動用モータの消費電力を低減させて駆動効率を高めることができ、省エネルギー性に優れる。
【発明の効果】
【００３２】
以上のように構成された本発明の磁力回転装置及びそれを用いた磁力アシスト付きモータによれば、以下の効果が得られる。
請求項１に記載の発明によれば、以下のような効果が得られる。
（１）駆動用モータ等の回転駆動装置を小型化することができ、駆動時の省力性、省電力性に優れると共に、回転開始後はコイルの各々の端末同士をショートさせ電磁誘導によってコイルに流れる電流でコイルを磁化させ、コイルに発生する磁界の作用によって永久磁石との間に発生する反発力及び吸引力によってロータを回転させ、ロータの回転の変動を抑えて常に略一定の安定した回転を行って、出力を高めることができる回転の効率性、均一性、出力の安定性、省エネルギー性に優れた磁力回転装置を提供することができる。【００３３】
請求項２に記載の発明によれば、請求項１に記載の効果に加え、以下のような効果が得られる。
（１）全てのコアが同時に永久磁石と重なることや全ての永久磁石が同時にコアと重なることがなく、少しずつタイミングをずらしながら各々のコイルを順次、磁化させることができ、全てのコイルから同時に反発力或いは吸引力が作用することがないので、ロータの回転にブレーキがかかることがなく、いずれかのコイルと永久磁石の間に働く反発力或いは吸引力によってロータの回転を助けて、ロータを安定して回転させることができるロータの回転の安定性、効率性、省エネルギー性に優れた磁力回転装置を提供することができる。【００３４】
請求項３に記載の発明によれば、請求項１又は２に記載の効果に加え、以下のような効果が得られる。
（１）各々のコイルを流れる交流電流を直流電流に変換して出力することができるので、各々のブリッジ整流器の出力端子を並列に接続して並列回路を形成することができ、１つの切替部で並列回路のオンとオフを切替えるだけで、全てのコイルの各々の端末同士のショートとオープンを同時に切替えることが可能で、回路を簡素化することができる動作の簡便性、確実性、安定性に優れた磁力回転装置を提供することができる。【００３５】
請求項４に記載の発明によれば、請求項１乃至３の内いずれか１項に記載の効果に加え、以下のような効果が得られる。
（１）磁束の漏洩を抑え、永久磁石のコア側の端面での磁束密度を高めることができ、コアに導かれる磁束密度も高く、コイルで発生する反発力や吸引力も増大させて、ロータの回転を補助することができるロータの回転の安定性、駆動の効率性に優れた磁力回転装置を提供することができる。【００３６】
請求項５に記載の発明によれば、請求項１乃至４の内いずれか１項に記載の効果に加え、以下のような効果が得られる。
（１）第一ロータ囲繞部にロータの回転方向と同じ向きに力が働き、ロータの回転を加速或いは安定化させ、出力されるトルクの増加、安定化を図ることができる回転の効率性、安定性に優れた磁力回転装置を提供することができる。【００３７】
請求項６に記載の発明によれば、請求項１乃至５の内いずれか１項に記載の効果に加え、以下のような効果が得られる。
（１）第一磁束遮蔽部材がコアの第一対向面を通過する際に第一磁束遮蔽部材が単位時間当たりにコアから受ける吸引力（回転を阻害する力）を分散させて小さくし、わずかな駆動力でロータを回転させることができる回転の効率性に優れた磁力回転装置を提供することができる。【００３８】
請求項７に記載の発明によれば、請求項１乃至６の内いずれか１項に記載の効果に加え、以下のような効果が得られる。
（１）ロータのいかなる位相においてもロータの回転を阻害するコアの磁界磁力を軽減させることができ、ロータの回転負荷トルクを軽減させることができる省力性、回転の効率性に優れた磁力回転装置を提供することができる。【００３９】
請求項８に記載の発明によれば、請求項７に記載の効果に加え、請求項４、以下のような効果が得られる。
（１）磁束の漏洩を抑え、永久磁石のコア側の端面での磁束密度を高めることができ、コアに導かれる磁束密度も高く、コイルで発生する反発力や吸引力も増大させて、ロータの回転を補助することができるロータの回転の安定性、駆動の効率性に優れた磁力回転装置を提供することができる。【００４０】
請求項９に記載の発明によれば、請求項７又は８に記載の効果に加え、以下のような効果が得られる。
（１）第二ロータ囲繞部にロータの回転方向と同じ向きに力が働き、ロータの回転を加速或いは安定化させ、出力されるトルクの増加、安定化を図ることができる回転の効率性、安定性に優れた磁力回転装置を提供することができる。【００４１】
請求項１０に記載の発明によれば、請求項７乃至９の内いずれか１項に記載の効果に加え、以下のような効果が得られる。
（１）第二磁束遮蔽部材がコアの第二対向面を通過する際に第二磁束遮蔽部材が単位時間当たりにコアから受ける吸引力（回転を阻害する力）も分散させて小さくし、わずかな駆動力でロータを回転させることができる回転の効率性に優れた磁力回転装置を提供することができる。【００４２】
請求項１１に記載の発明によれば、以下のような効果が得られる。
（１）磁力回転装置の回転軸を回転させる駆動用モータを小型化することができ、小さな力で磁力回転装置のロータを回転させて大きな出力（トルク）を得ることができ、省エネルギー性、駆動効率性に優れ、自動車，船舶，鉄道，航空機，建設機械等に搭載する発電機等の駆動や工場，店舗，住宅等に電力を供給する自家発電用等の発電機等を駆動するのに好適な省エネルギー型のモータを提供することができる。
【図面の簡単な説明】
【００４３】
【図１】実施の形態１の磁力回転装置の構成を示す模式図
【図２】実施の形態１の磁力回転装置を用いた磁力アシスト付きモータを示す模式平面図
【図３】実施の形態２の磁力回転装置の模式正面図
【図４】図３のＡ−Ａ線断面図
【図５】（ａ）実施の形態２の磁力回転装置の第一永久磁石囲繞部及び第二永久磁石囲繞部を示す模式斜視図  （ｂ）実施の形態２の磁力回転装置の第一磁束遮蔽部材及び第二磁束遮蔽部材を示す模式斜視図
【発明を実施するための形態】
【００４４】
以下、本発明を実施するための最良の形態を、図面を参照しながら説明する。尚、本発明は以下に説明する実施の形態に限定されるものではない。
（実施の形態１）
図１は実施の形態１の磁力回転装置の構成を示す模式図であり、図２は実施の形態１の磁力回転装置を備えた磁力アシスト付きモータを示す模式平面図である。
図１において、１は本発明の実施の形態１における磁力回転装置、２は磁力回転装置１の回転軸、３は非磁性の合成樹脂製やステンレス鋼等で円柱状に形成され回転軸２に取り付けられた磁力回転装置１のロータ、５はロータ３の回転方向に沿って後述するコア６側の端面４ａの磁極が交互に異なるように（Ｎ極とＳ極が交互になるように）永久磁石４が６個配置された磁力回転装置１の第一界磁部、５ａは常磁性材料で形成され第一界磁部５の外周を囲繞してロータと共に回転する磁力回転装置１の第一ロータ囲繞部、６は鉄，ケイ素鉄，パーマロイ等の強磁性体で形成され第一界磁部５と間隔をあけて配置されて各々が磁気的に絶縁された磁力回転装置１の８個のコア、６ａは各々のコア６の一端部に形成され第一界磁部５とギャップを介して対向するコア６の第一対向面、７は各々のコア６に独立して巻回された複数のコイル、８はロータ３の回転開始時は複数のコイル７の各々の端末同士をオープンにしロータ３の回転開始後は複数のコイル７の各々の端末同士をショートさせる磁力回転装置１のスイッチング部、９は各々のコイル７の端末に接続されたスイッチング部８のブリッジ整流器、１０は各々のブリッジ整流器９の出力端子を並列に接続するスイッチング部８の並列回路、１０ａは並列回路１０のオンとオフを切替えるスイッチング部８の切替部である。
尚、コア６はアルミニウム，ステンレス鋼，真鍮等の非磁性材料や合成樹脂等で形成されたケーシング（図示せず）の内側にボルト等の締結部材で磁気的に絶縁された状態で固定される。
【００４５】
永久磁石４としては、アルニコ磁石、フェライト磁石、Ｆｅ−Ｃｒ−Ｃｏ磁石、サマリウム系，ネオジウム系等の希土類磁石等の中から、適宜選択して用いることができる。大きな出力を得る場合には、磁束密度も保磁力も大きな希土類磁石、特にネオジウム系の永久磁石を用いるのが好ましい。
永久磁石４は直方体や立方体等に形成された１つの塊状の永久磁石を用いてもよいし、板状永久磁石を複数枚重ねて吸着させたものを用いてもよい。
本実施の形態では、第一界磁部５のロータ３の回転方向に６個の永久磁石４を等角度間隔で配置し、それに対して８個のコア６を等角度間隔で対向配置した。永久磁石４の数とコア６の数とが互いに相手方の数の整数倍でないので、図１に示したように、全ての永久磁石４が同時にコア６と重なることがなく、少しずつタイミングをずらしながら各々のコイル７を順次、磁化させることができ、全てのコイル７から同時に反発力或いは吸引力が作用することがないので、ロータ３の回転にブレーキがかかることがなく、いずれかのコイル７と永久磁石４の間に働く反発力或いは吸引力によってロータ３の回転を助けることができ、小さな力でロータ３を安定して回転させることができる。
尚、永久磁石４の数とコア６の数の組合せはこれに限定されるものではなく、全ての永久磁石４又はコア６が、対向するコア６又は永久磁石４と同時に重ならなければよい。
【００４６】
以上のように構成された本発明の実施の形態１における磁力回転装置の動作（使用方法）について、図面を参照しながら説明する。
図２は実施の形態１の磁力回転装置を用いた磁力アシスト付きモータを示す模式平面図である。
図２中、２０は実施の形態１の磁力回転装置１を用いた磁力アシスト付きモータ、２１は磁力アシスト付きモータ２０の磁力回転装置１を駆動する回転駆動装置としての駆動用モータ、２１ａは駆動用モータ２１の出力軸、２２は磁力回転装置１の回転軸２と駆動用モータ２１の出力軸２１ａとの間に巻掛けられて駆動用モータ２１の出力を磁力回転装置１に伝達するベルトなどの動力伝達部材である。
磁力アシスト付きモータ２０は駆動用モータ２０で駆動されることにより回転軸２の他端側から大きな出力（トルク）を得ることができるが、図１において、磁力回転装置１のロータ３の回転開始時は、スイッチング部８の切替部１０ａにより、各々のコイル７の端末同士をオープンにしておく。これにより、コイル７には電流が流れないため、ロータ３の回転負荷トルクを減少させることができ、わずかな駆動力でロータ３を回転させることができるので、駆動用モータ２０を小型化することができる。
ロータ３の回転開始後は、スイッチング部８の切替部１０ａにより、各々のコイル７の端末同士を同時にショートさせる。これにより、コイル７に発生する磁界の作用で永久磁石４に対してロータ３の回転を助ける反発力或いは吸引力が働き、ロータ３の回転の変動を抑えて、小さな力で常に略一定の安定した回転を得ることができ、駆動用モータ２１の消費電力を低減させて駆動効率を高めることができる。
スイッチング部８は、各々のコイル７の端末同士のオープンとショートを切替えることができればよいが、ロータ３の回転数などを検出して自動的にオープンとショートの切替えを行うものが好適に用いられる。
尚、スイッチング部８は本実施の形態に限られるものではなく、ブリッジ整流器９を用いて並列回路１０を形成する代わりに、各々のコイル７の端末間にオープンとショートを切替えるスイッチ（切替部）を設けてもよい。
【００４７】
本発明の実施の形態１における磁力回転装置によれば、以下のような作用が得られる。
（１）各々のコアに独立して巻回された複数のコイルと、ロータの回転開始時は複数のコイルの各々の端末同士をオープンにしロータの回転開始後は複数のコイルの各々の端末同士をショートさせるスイッチング部を有するので、回転開始時にコイルの各々の端末同士をオープンにして電磁誘導によりコイルに電流が流れないようにして、コイルが磁化しないようにすることで、ロータの回転負荷トルクを著しく減少させ、わずかな駆動力でロータを回転させることができる。この結果、駆動用モータ等の回転駆動装置を小型化することができ、駆動時の省力性、省電力性に優れると共に、回転開始後はコイルの各々の端末同士をショートさせ電磁誘導によってコイルに流れる電流でコイルを磁化させ、コイルに発生する磁界の作用によって永久磁石との間に発生する反発力及び吸引力によってロータを回転させ、ロータの回転の変動を抑えて常に略一定の安定した回転を行って、出力を高めることができ、回転の効率性、均一性、出力の安定性、省エネルギー性に優れる。
（２）ロータの回転開始時と回転開始後に、スイッチング部により複数のコイルの各々の端末同士のオープンとショートを切替えるだけで、容易に回転開始時のロータの回転負荷トルクを低減させると共に、回転開始後のロータの回転を安定化させることができ、ロータの回転中に複雑な操作などを行う必要がなく、操作を簡素化することができ、量産性、制御の容易性に優れる。
（３）永久磁石から各々のコアに導かれる磁束はロータの回転に従って変化するが、第一界磁部の永久磁石とコアが、それぞれ等角度間隔で配置される時に、第一界磁部の永久磁石の数とコアの数とが互いに相手方の数の整数倍でないことにより、全てのコアが同時に永久磁石と重なることや全ての永久磁石が同時にコアと重なることがなく、少しずつタイミングをずらしながら各々のコイルを順次、磁化させることができ、全てのコイルから同時に反発力或いは吸引力が作用することがないので、ロータの回転にブレーキがかかることがなく、いずれかのコイルと永久磁石の間に働く反発力或いは吸引力によってロータの回転を助けて、ロータを安定して回転させることができ、ロータの回転の安定性、効率性、省エネルギー性に優れる。
（４）スイッチング部が、各々のコイルの端末間に接続されたブリッジ整流器を有することにより、各々のコイルを流れる交流電流を直流電流に変換して出力することができるので、各々のブリッジ整流器の出力端子を並列に接続して並列回路を形成することができ、１つの切替部で並列回路のオンとオフを切替えるだけで、全てのコイルの各々の端末同士のショートとオープンを同時に切替えることが可能で、回路を簡素化することができ、動作の簡便性、確実性、安定性に優れる。
（５）常磁性材料で形成され、第一界磁部の外周を囲繞してロータと共に回転する第一ロータ囲繞部を有することにより、第一ロータ囲繞部にロータの回転方向と同じ向きに力が働き、ロータの回転を加速或いは安定化させることができ、回転の効率性、安定性に優れ、出力されるトルクの増加、安定化を図ることができる。これは、ロータの回転時にコイルに磁界が発生し、その中を第一ロータ囲繞部が通過することにより、渦電流が発生し、その磁界の作用によって第一ロータ囲繞部をロータの回転方向に付勢する力が発生しているためと考えている。
（６）第一界磁部の外周を第一ロータ囲繞部で囲繞することにより、ロータの回転時に、ロータ表面に突出した永久磁石が抵抗となることがなく、ロータをスムーズに回転させることができ、回転の効率性に優れると共に、ロータ外周の気流を安定させて、風切り音を低減することができ、低騒音性に優れる。
（７）第一界磁部の外周を囲繞する第一ロータ囲繞部によって永久磁石の外表面を確実に固定し、永久磁石の落下を防止することができ、永久磁石の固定の安定性、動作の確実性に優れる。
【００４８】
本発明の実施の形態１における磁力回転装置を用いた磁力アシスト付きモータによれば、以下のような作用が得られる。
（１）磁力回転装置の回転軸を回転させる駆動用モータを小型化することができ、小さな力で磁力回転装置のロータを回転させて大きな出力（トルク）を得ることができ、省エネルギー性、駆動効率性に優れるので、自動車，船舶，鉄道，航空機，建設機械等に搭載する発電機等の駆動や工場，店舗，住宅等に電力を供給する自家発電用等の発電機等を駆動するのに好適な省エネルギー型のモータとして用いることができる。
【００４９】
（実施の形態２）
図３は実施の形態２の磁力回転装置の模式正面図であり、図４は図３のＡ−Ａ線断面図であり、図５（ａ）は実施の形態２の磁力回転装置の第一永久磁石囲繞部及び第二永久磁石囲繞部を示す模式斜視図であり、図５（ｂ）は実施の形態２の磁力回転装置の第一磁束遮蔽部材及び第二磁束遮蔽部材を示す模式斜視図である。尚、実施の形態１と同様のものは同一の符号を付して説明を省略する。
図３及び図４において、６ｂは後述する第二界磁部１５と対向するようにコア６の他端部に形成された第二対向面、７ａ，７ｂはそれぞれコア６の第一対向面６ａ及び第二対向面６ｂの近くに巻回されたコイル、１５はロータ３の回転方向に沿って永久磁石１４のコア６側の端面１４ａの磁極が交互に異なるように（Ｎ極とＳ極が交互になるように）複数配置され、ロータ３の回転方向と略直交する位置に配置された永久磁石４の端面４ａと永久磁石１４の端面１４ａの磁極が異なるように第一界磁部５と並設された磁力回転装置１の第二界磁部、Ｘはロータ３の回転方向と略直交する位置に配置された第一界磁部５の永久磁石４の端面４ａの中心と第二界磁部１５の永久磁石１４の端面１４ａの中心とを結ぶ界磁側中心線（図３）、Ｙはコア６に形成された第一対向面６ａの中心と第二対向面６ｂの中心とを結ぶコア側中心線（図３）、αは界磁側中心線Ｘとコア側中心線Ｙとのずれ角（図３）である。
本実施の形態においては、界磁側中心線Ｘはロータ３の回転方向と直交し、コア側中心線Ｙが界磁側中心線Ｘに対してずれ角α＝１〜２０°の範囲で斜交するようにコア６が配置されている。
【００５０】
本実施の形態では、略Ｕ字型或いは馬蹄形に形成された各々のコア６の一端部側（第一対向面６ａの近く）及び他端部側（第二対向面６ｂの近く）にコイル７ａ，７ｂが巻回されているが、実施の形態１と同様に、各々のコア６に巻回されたコイル７ａ，７ｂの端末間にそれぞれブリッジ整流器９を接続し、各々のブリッジ整流器９の出力端子を並列に接続して並列回路１０を形成することにより、１つの切替部１０ａで並列回路１０のオン、オフを切替えて、全てのコイル７ａ，７ｂの各々の端末同士のショートとオープンを同時に切替えることができる。
尚、ブリッジ整流器９を用いて並列回路１０を形成する代わりに、各々のコア６のコイル７ａ，７ｂの端末間にオープンとショートを切替えるスイッチを設けてもよい。
【００５１】
図５において、１６ａは鉄，ケイ素鉄，パーマロイ等の強磁性体で断面略Ｕ字型に形成されロータ３の外周に固着されて永久磁石４のロータ３側の端部及びロータ３の回転方向の両側部を囲繞する磁力回転装置１の第一永久磁石囲繞部、１６ｂは第一永久磁石囲繞部１６ａと一体に形成され永久磁石１４のロータ３側の端部及びロータ３の回転方向の両側部を囲繞する磁力回転装置１の第二永久磁石囲繞部、１７ａは鉄，ケイ素鉄，パーマロイ，フェライト，アルニコ合金（Ｆｅ−Ａｌ−Ｎｉ−Ｃｏ合金）等の強磁性体で円弧状に形成され永久磁石４のコア６側の端面４ａ側に覆設された磁力回転装置１の第一磁束遮蔽部材、１７ｂは第一磁束遮蔽部材１７ａと一体に形成され永久磁石１４のコア６側の端面１４ａ側に覆設された磁力回転装置１の第二磁束遮蔽部材、１８は各々の永久磁石４，１４の端面４ａ，１４ａの外側に張り出した第一磁束遮蔽部材１７ａ及び第二磁束遮蔽部材１７ｂの端部に貫設され第一磁束遮蔽部材１７ａ及び第二磁束遮蔽部材１７ｂと第一永久磁石囲繞部１６ａ及び第二永久磁石囲繞部１６ｂとを連結する非磁性のボルト等の締結部材である。
【００５２】
本実施の形態では第一界磁部５の永久磁石４を囲繞する第一永久磁石囲繞部１６ａと、第二界磁部１５の永久磁石１４を囲繞する第二永久磁石囲繞部１６ｂを一体に形成したが、これらは独立して形成してもよい。
また、本実施の形態では、第一界磁部５の永久磁石４を覆う第一磁束遮蔽部材１７ａと、第二界磁部１５の永久磁石１４を覆う第二磁束遮蔽部材１７ｂを一体に形成したが、これらは独立して形成してもよい。
尚、第一磁束遮蔽部材１７ａ及び第二磁束遮蔽部材１７ｂの外周を実施の形態１の第一ロータ囲繞部５ａと同様のロータ囲繞部で囲繞してもよい。このとき、ロータ囲繞部は、第一界磁部５の外周を囲繞する第一ロータ囲繞部と第二界磁部１５の外周を囲繞する第二ロータ囲繞部に分割してもよい。また、ロータ囲繞部を設ける場合、第一磁束遮蔽部材１７ａ及び第二磁束遮蔽部材１７ｂは省略してもよい。
実施の形態２の磁力回転装置１Ａは、第一界磁部５に加え、第二界磁部１５が並設されているが、動作や使用方法は実施の形態１と同様なので、説明を省略する。また、実施の形態２の磁力回転装置１Ａは、実施の形態１の磁力回転装置１と同様に駆動用モータ２１と組合せて磁力アシスト付きモータとして使用することができる。
【００５３】
本発明の実施の形態２における発電機によれば、実施の形態１で得られる（１）乃至（４）の作用に加え、以下のような作用が得られる。
（１）強磁性体で形成され、第一界磁部及び第二界磁部の永久磁石のロータ側の端部及びロータの回転方向の両側部を囲繞する第一永久磁石囲繞部及び第二永久磁石囲繞部を有することにより、磁束の漏洩を抑え、永久磁石のコア側の端面での磁束密度を高められるので、コアに導かれる磁束密度も高くなり、コイルで発生する反発力や吸引力も増大して、ロータの回転を補助することができ、ロータの回転の安定性、駆動の効率性に優れる。
（２）第一界磁部及び第二界磁部の永久磁石のロータ側の端部及びロータの回転方向の両側部を囲繞する第一永久磁石囲繞部及び第二永久磁石囲繞部を有することにより、永久磁石の外周を保護できると共に、第一永久磁石囲繞部及び第二永久磁石囲繞部で永久磁石を簡単かつ確実に固定してロータからの永久磁石の脱落を防ぐことができ、組立作業性、耐久性に優れる。
（３）強磁性体で表面が永久磁石の軌道面に沿うように円弧状に形成され第一界磁部及び第二界磁部の各々の永久磁石のコア側の端面に固着されて表面から出る磁束を分散させて均一化させる第一磁束遮蔽部材及び第二磁束遮蔽部材を備えていることにより、永久磁石の磁束が第一磁束遮蔽部材及び第二磁束遮蔽部材に導かれ、第一磁束遮蔽部材及び第二磁束遮蔽部材から出た磁束がコアに導かれる際に、磁束は永久磁石の軌道面に沿うように分散してタイミングをずらしながらコアに向かうので、第一磁束遮蔽部材及び第二磁束遮蔽部材がコアの第一対向面及び第二対向面を通過する際に単位時間当たりにコアから受ける吸引力（回転を阻害する力）も分散して小さくなる。これにより、わずかな駆動力でロータを回転させることができ、回転効率を向上させることができる。
（４）第一界磁部の永久磁石の端面の中心と第二界磁部の永久磁石の端面の中心とを結ぶ界磁側中心線と、第一対向面の中心と第二対向面の中心とを結ぶコア側中心線と、の間にずれ角αが形成されているので、ロータの回転により、第一界磁部がコアから吸引力（又は反発力）を受けているときに、第二界磁部がコアから反発力（又は吸引力）を受けることになり、ロータのいかなる位相においてもロータの回転を阻害するコアの磁界磁力を軽減させることができ、ロータの回転負荷トルクを軽減させることができる。
【００５４】
尚、実施の形態１においても、本実施の形態と同様に、第一界磁部５の永久磁石４を囲繞する第一永久磁石囲繞部１６ａや第一界磁部５の永久磁石４を覆う第一磁束遮蔽部材１７ａを設けてもよい。但し、第一磁束遮蔽部材１７ａを設ける場合、第一磁束遮蔽部材１７ａの外周を第一ロータ囲繞部５ａで囲繞してもよいし、第一ロータ囲繞部５ａを省略してもよい。
また、実施の形態１及び２の磁力回転装置１，１Ａでは、コア６の内側でロータ３が回転する内転型の場合について説明したが、これに限定されるものではなく、コアの外側でロータが回転するアウタロータ型即ち外転型とすることもでき、この場合も同様の作用が得られる。
【産業上の利用可能性】
【００５５】
本発明は、永久磁石がコアの対向面を通過する際にコアからロータの回転を阻害する方向に働く反発力や吸引力が少なく、ロータの回転負荷トルクを減少させ、わずかな駆動力でロータを回転させることができると共に、コイルに発生する磁界の作用によってロータの回転をアシストし、ロータの回転の変動を抑えて常に略一定で安定した回転を行って大きなトルクを得ることができる回転の効率性、均一性、安定性、省エネルギー性に優れた磁力回転装置及びそれを用いた磁力アシスト付きモータを提供し、発電機の駆動に用いることにより、効率的に発電を行うことができ、エネルギー不足の解消に貢献できる。
【符号の説明】
【００５６】
１，１Ａ  磁力回転装置
２  回転軸
３  ロータ
４，１４  永久磁石
４ａ，１４ａ  端面
５  第一界磁部
５ａ  第一ロータ囲繞部
６  コア
６ａ  第一対向面
６ｂ  第二対向面
７，７ａ，７ｂ  コイル
８  スイッチング部
９  ブリッジ整流器
１０  並列回路
１０ａ  切替部
１５  第二界磁部
１６ａ  第一永久磁石囲繞部
１６ｂ  第二永久磁石囲繞部
１７ａ  第一磁束遮蔽部材
１７ｂ  第二磁束遮蔽部材
１８  締結部材
２０  磁力アシスト付きモータ
２１  駆動用モータ
２１ａ  出力軸
２２  動力伝達部材
Ｘ  界磁側中心線
Ｙ  コア側中心線
α  ずれ角
【図１】
2015076400.tif 000003
【図２】
2015076400.tif 000004
【図３】
2015076400.tif 000005
【図４】
2015076400.tif 000006
【図５】
2015076400.tif 000007
【手続補正書】
【提出日】平成27年4月24日(2015.4.24)
【手続補正１】
【補正対象書類名】特許請求の範囲
【補正対象項目名】全文
【補正方法】変更
【補正の内容】
【特許請求の範囲】
【請求項１】
回転軸に取り付けられたロータと、前記ロータの回転方向に沿って端面の磁極が交互に異なるように永久磁石が複数配置された第一界磁部と、前記第一界磁部と間隔をあけて配置され一端部に前記第一界磁部とギャップを介して対向する第一対向面を有し各々が磁気的に絶縁された複数のコアと、各々の前記コアに独立して巻回された複数のコイルと、前記ロータの回転開始時は電磁誘導により前記コイルに電流が流れないように複数の前記コイルの各々の端末同士をオープンにし前記ロータの回転開始後は電磁誘導によって前記コイルに電流が流れるように複数の前記コイルの各々の端末同士をショートさせるスイッチング部と、を備え、前記第一界磁部の前記永久磁石と前記コアが、それぞれ等角度間隔で配置される時に、前記第一界磁部の前記永久磁石の数と前記コアの数とが互いに相手方の数の整数倍でないことを特徴とする磁力回転装置。
【請求項２】
前記スイッチング部が、各々の前記コイルの端末間に接続されたブリッジ整流器と、各々の前記ブリッジ整流器の出力端子を並列に接続する並列回路と、前記並列回路に配設され複数の前記コイルの各々の端末同士のオープンとショートをまとめて切替える切替部と、を備えたことを特徴とする請求項１に記載の磁力回転装置。
【請求項３】
強磁性体で形成され、前記第一界磁部の前記永久磁石の前記ロータ側の端部及び前記ロータの回転方向の両側部を囲繞する第一永久磁石囲繞部を備えたことを特徴とする請求項１又は２に記載の磁力回転装置。
【請求項４】
常磁性材料で形成され、前記第一界磁部の外周を囲繞して前記ロータと共に回転する第一ロータ囲繞部を備えたことを特徴とする請求項１乃至３の内いずれか１項に記載の磁力回転装置。
【請求項５】
前記第一界磁部が、強磁性体で表面が前記永久磁石の軌道面に沿うように山形状又は円弧状に形成され各々の前記永久磁石の前記コア側の端面に固着されて表面から出る磁束を分散させて均一化させる第一磁束遮蔽部材を備えたことを特徴とする請求項１乃至４の内いずれか１項に記載の磁力回転装置。
【請求項６】
前記ロータの回転方向に沿って端面の磁極が交互に異なり、かつ、前記ロータの回転方向と略直交する位置に配置された永久磁石同士の端面の磁極が異なるように前記第一界磁部と並設された第二界磁部と、前記コアの他端部に形成され前記第二界磁部とギャップを介して対向する第二対向面と、を備え、前記ロータの回転方向と略直交する位置に配置された前記第一界磁部の永久磁石の端面の中心と前記第二界磁部の永久磁石の端面の中心とを結ぶ界磁側中心線と、前記第一対向面の中心と前記第二対向面の中心とを結ぶコア側中心線と、の間にずれ角αが形成されていることを特徴とする請求項１乃至５の内いずれか１項に記載の磁力回転装置。
【請求項７】
強磁性体で形成され、前記第二界磁部の前記永久磁石の前記ロータ側の端部及び前記ロータの回転方向の両側部を囲繞する第二永久磁石囲繞部を備えたことを特徴とする請求項６に記載の磁力回転装置。
【請求項８】
常磁性材料で形成され、前記第二界磁部の外周を囲繞して前記ロータと共に回転する第二ロータ囲繞部を備えたことを特徴とする請求項６又は７に記載の磁力回転装置。
【請求項９】
前記第二界磁部が、強磁性体で表面が前記永久磁石の軌道面に沿うように山形状又は円弧状に形成され各々の前記永久磁石の前記コア側の端面に固着されて表面から出る磁束を分散させて均一化させる第二磁束遮蔽部材を備えたことを特徴とする請求項６乃至８の内いずれか１項に記載の磁力回転装置。
【請求項１０】
請求項１乃至９の内いずれか１項に記載の磁力回転装置と、前記磁力回転装置の前記回転軸を回転させる駆動用モータと、を備えたことを特徴とする磁力アシスト付きモータ。
【手続補正２】
【補正対象書類名】明細書
【補正対象項目名】０００３
【補正方法】変更
【補正の内容】
【０００３】
（２）また、ロータの電磁石の数がトルク発生用磁石の数の４倍（整数倍）の１６個で等角度間隔で配置されていることにより、４つのトルク発生用磁石から電磁石に対して、常に同時に反発力又は吸着力が作用すると考えられるので、一度ブレーキがかかって回転が止まってしまうと、そこから回転させることは極めて困難であり、動作の確実性、安定性に欠けるという課題を有していると考えられる。
（３）さらに、誘導起電力発生用磁石及びトルク発生用磁石が必要であるため、構成が複雑で部品点数が多く、量産性、組立て作業性に欠けるという課題を有している。
［０００５］
本発明は上記従来の課題を解決するもので、永久磁石がコアの対向面を通過する際にコアからロータの回転を阻害する方向に働く反発力や吸引力が少なく、ロータの回転負荷トルクを減少させ、わずかな駆動力でロータを回転させることができると共に、コイルに発生する磁界の作用によってロータの回転をアシストし、ロータの回転の変動を抑えて常に略一定で安定した回転を行って大きなトルクを得ることができる回転の効率性、均一性、安定性、省エネルギー性に優れた磁力回転装置及びそれを用いた磁力アシスト付きモータを提供することを目的とする。
課題を解決するための手段
［０００６］
上記従来の課題を解決するために本発明の磁力回転装置及びそれを用いた磁力アシスト付きモータは、以下の構成を有している。
請求項１に記載の磁力回転装置は、回転軸に取り付けられたロータと、前記ロータの回転方向に沿って端面の磁極が交互に異なるように永久磁石が複数配置された第一界磁部と、前記第一界磁部と間隔をあけて配置され一端部に前記第一界磁部とギャップを介して対向する第一対向面を有し各々が磁気的に絶縁された複数のコアと、各々の前記コアに独立して巻回された複数のコイルと、前記ロータの回転開始時は電磁誘導により前記コイルに電流が流れないように複数の前記コイルの各々の端末同士をオープンにし前記ロータの回転開始後は電磁誘導によって前記コイルに電流が流れるように複数の前記コイルの各々の端末同士をショートさせるスイッチング部と、を備え、前記第一界磁部の前記永久磁石と前記コアが、それぞれ等角度間隔で配置される時に、前記第一界磁部の前記永久磁石の数と前記コアの数とが互いに相手方の数の整数倍でない構成を有している。
【手続補正３】
【補正対象書類名】明細書
【補正対象項目名】０００４
【補正方法】変更
【補正の内容】
【０００４】
この構成により、以下のような作用が得られる。
（１）各々のコアに独立して巻回された複数のコイルと、ロータの回転開始時は電磁誘導によりコイルに電流が流れないように複数のコイルの各々の端末同士をオープンにしロータの回転開始後は電磁誘導によってコイルに電流が流れるように複数のコイルの各々の端末同士をショートさせるスイッチング部を有するので、回転開始時にコイルの各々の端末同士をオープンにして電磁誘導によりコイルに電流が流れないようにして、コイルが磁化しないようにすることで、ロータの回転負荷トルクを著しく減少させ、わずかな駆動力でロータを回転させることができる。永久磁石から各々のコアに導かれる磁束はロータの回転に従って変化するが、第一界磁部の永久磁石とコアが、それぞれ等角度間隔で配置される時に、第一界磁部の永久磁石の数とコアの数とが互いに相手方の数の整数倍でないことにより、全てのコアが同時に永久磁石と重なることや全ての永久磁石が同時にコアと重なることがなく、少しずつタイミングをずらしながら各々のコイルを順次、磁化させることができ、全てのコイルから同時に反発力或いは吸引力が作用することがないので、ロータの回転にブレーキがかかることがなく、いずれかのコイルと永久磁石の間に働く反発力或いは吸引力によってロータの回転を助けて、ロータを安定して回転させることができる。この結果、駆動用モータ等の回転駆動装置を小型化することができ、駆動時の省力性、省電力性に優れると共に、回転開始後はコイルの各々の端末同士をショートさせ電磁誘導によってコイルに流れる電流でコイルを磁化させ、コイルに発生する磁界の作用によって永久磁石との間に発生する反発力及び吸引力によってロータを回転させ、ロータの回転の変動を抑えて常に略一定の安定した回転を行って、出力を高めることができ、回転の効率性、均一性、出力の安定性、省エネルギー性に優れる。
（２）ロータの回転開始時と回転開始後に、スイッチング部により複数のコイルの各々の端末同士のオープンとショートを切替えるだけで、容易に回転開始時のロータの回転負荷トルクを低減させると共に、回転開始後のロータの回転を安定化させることができ、ロータの回転中に複雑な操作などを行う必要がなく、操作を簡素化することができ、量産性、制御の容易性に優れる。
［０００７］
ここで、ロータとしては、円柱状や多角柱状等の柱状、板状等に形成されたものを用いることができる。柱状に形成されたロータに対しては、ロータの外周面に永久磁石を配置することができ、板状に形成されたロータに対しては、ロータの平板面に永久磁石を配置することができる。ロータが回転して永久磁石からコアに導かれた磁束が変化すると、電磁誘導によりコイルに電流が流れてコイルが磁化し、永久磁石との間に反発力或いは吸引力が作用する。
ロータの回転軸は、駆動用モータ等の回転駆動装置のほか、風車や水車等
【手続補正４】
【補正対象書類名】明細書
【補正対象項目名】０００６
【補正方法】変更
【補正の内容】
【０００６】
尚、スイッチング部は、ロータの回転の有無或いはロータの回転数などを検出してオープンとショートの切替えを自動的に行うものが好適に用いられる。特に、ロータの回転数を検出する回転数検出部を有し、回転数検出部で検出した回転数が予め設定した設定回転数以上になった時に切替部で全てのコイルの各々の端末同士をオープンからショートに切替えるスイッチング部を用いれば、制御の信頼性、動作の安定性、発電の効率性に優れる。
［００１０］
［００１１］
ここで、永久磁石とコアが、それぞれ等角度間隔で配置される時に、永久磁石の数がコアの数の整数倍（等しい場合も含む）になっている場合、各々のコアとそれに対向する永久磁石との位置関係が全て一致するため、ロータの回転時に永久磁石から各々のコアに導かれる磁束の変化も等しくなり、全てのコイルから対向する永久磁石に対して同じタイミングで反発力或いは吸引力が作用することになる。また、コアの数が永久磁石の数の整数倍（等し
【手続補正５】
【補正対象書類名】明細書
【補正対象項目名】０００７
【補正方法】変更
【補正の内容】
【０００７】
い場合も含む）になっている場合も、同様に、各々の永久磁石とそれに対向するコアとの位置関係が全て一致するため、ロータの回転時に各々の永久磁石から対向するコアに導かれる磁束の変化も等しくなり、全ての永久磁石に対して対向するコイルから同じタイミングで反発力或いは吸引力が作用することになる。
よって、これらの場合には、その反発力或いは吸引力が全て同時にロータの回転を妨げる方向に作用して大きなブレーキとなることがあるので、これを防止するために、永久磁石の数とコアの数とが互いに相手方の数の整数倍でないようにすることが有効である。特に、永久磁石の数とコアの数とが互いに素になっている場合、両者の間に１以外の公約数がないため、複数の永久磁石とコアが同時に重なることがなく、反発力或いは吸引力の発生のタイミングを均一に分散させることができ、ロータの回転の安定性に優れる。
［００１２］
請求項２に記載の発明は、請求項１に記載の磁力回転装置であって、前記スイッチング部が、各々の前記コイルの端末間に接続されたブリッジ整流器と、各々の前記ブリッジ整流器の出力端子を並列に接続する並列回路と、前記並列回路に配設され複数の前記コイルの各々の端末同士のオープンとショートをまとめて切替える切替部と、を備えた構成を有している。
この構成により、請求項１で得られる作用に加え、以下のような作用が得られる。
（１）スイッチング部が、各々のコイルの端末間に接続されたブリッジ整流器を有することにより、各々のコイルを流れる交流電流を直流電流に変換して出力することができるので、各々のブリッジ整流器の出力端子を並列に接続して並列回路を形成することができ、並列回路に配設され複数のコイルの各々の端末同士のオープンとショートをまとめて切替える切替部で、全てのコイルの各々の端末同士のショートとオープンを同時に切替えることが可能で、回路を簡素化することができ、動作の簡便性、確実性、安定性に優れる。
［００１３］
請求項３に記載の発明は、請求項１又は２に記載の磁力回転装置であって、強磁性体で形成され、前記第一界磁部の前記永久磁石の
【手続補正６】
【補正対象書類名】明細書
【補正対象項目名】０００８
【補正方法】変更
【補正の内容】
【０００８】
前記ロータ側の端部及び前記ロータの回転方向の両側部を囲繞する第一永久磁石囲繞部を備えた構成を有している。
この構成により、請求項１又は２で得られる作用に加え、以下のような作用が得られる。
（１）強磁性体で形成され、第一界磁部の永久磁石のロータ側の端部及びロータの回転方向の両側部を囲繞する第一永久磁石囲繞部を有することにより、磁束の漏洩を抑え、永久磁石のコア側の端面での磁束密度を高められるので、コアに導かれる磁束密度も高くなり、コイルで発生する反発力や吸引力も増大させて、ロータの回転を補助することができ、ロータの回転の安定性、駆動の効率性に優れる。
（２）第一界磁部の永久磁石のロータ側の端部及びロータの回転方向の両側部を囲繞する第一永久磁石囲繞部を有することにより、永久磁石の外周を保護できると共に、第一永久磁石囲繞部で永久磁石を簡単かつ確実に固定してロータからの永久磁石の脱落を防ぐことができ、組立作業性、耐久性に優れる。
［００１４］
ここで、第一永久磁石囲繞部を形成する強磁性体としては、鉄、ケイ素鉄、パーマロイ、フェライト、アルニコ合金等を用いることができる。
また、第一永久磁石囲繞部は永久磁石のロータ側の端部及びロータの回転方向の両側部を囲繞するものであればよく、その形状は永久磁石の形状に応じて適宜、選択することができる。特に、永久磁石を直方体状や立方体状に形成する場合、第一永久磁石囲繞部を断面略Ｕ字型に形成することにより、内周面を永久磁石のロータ側の端部及びロータの回転方向の両側部に密着させることができ、永久磁石の固定安定性、磁束の漏洩防止の信頼性に優れる。
第一永久磁石囲繞部はロータの外面に固着することができるが、ロータの外面の一部を、鉄，ケイ素鉄，パーマロイ等の強磁性体で形成し、第一永久磁石囲繞部の一部として用いてもよい。
［００１５］
請求項４に記載の発明は、請求項１乃至３の内いずれか１項に記載の磁力
【手続補正７】
【補正対象書類名】明細書
【補正対象項目名】０００９
【補正方法】変更
【補正の内容】
【０００９】
回転装置であって、常磁性材料で形成され、前記第一界磁部の外周を囲繞して前記ロータと共に回転する第一ロータ囲繞部を備えた構成を有している。
この構成により、請求項１乃至３の内いずれか１項で得られる作用に加え、以下のような作用が得られる。
（１）常磁性材料で形成され、第一界磁部の外周を囲繞してロータと共に回転する第一ロータ囲繞部を有することにより、第一ロータ囲繞部にロータの回転方向と同じ向きに力が働き、ロータの回転を加速或いは安定化させることができ、回転の効率性、安定性に優れ、出力されるトルクの増加、安定化を図ることができる。これは、ロータの回転時にコイルに磁界が発生し、その中を第一ロータ囲繞部が通過することにより、渦電流が発生し、その磁界の作用によって第一ロータ囲繞部をロータの回転方向に付勢する力が発生しているためと考えている。
（２）第一界磁部の外周を第一ロータ囲繞部で囲繞することにより、ロータの回転時に、ロータ表面に突出した永久磁石が抵抗となることがなく、ロータをスムーズに回転させることができ、回転の効率性に優れると共に、ロータ外周の気流を安定させて、風切り音を低減することができ、低騒音性に優れる。
（３）第一界磁部の外周を囲繞する第一ロータ囲繞部によって永久磁石の外表面を確実に固定し、永久磁石の落下を防止することができ、永久磁石の固定の安定性、動作の確実性に優れる。
［００１６］
ここで、第一ロータ囲繞部は常磁性材料で形成されるが、特にアルミニウムが好適に用いられる。第一ロータ囲繞部は、初めから円筒状などに成型したものを第一界磁部の外周に嵌合するようにして取り付けてもよいし、シート状（帯状）に形成したものを巻き付けるようにして取り付けてもよい。特に、シート状（帯状）で裏面に接着層を有するものは簡単に固定することができ、組立作業性に優れる。尚、ロータの外周面と永久磁石表面との段差を埋めるために永久磁石の側部外周（円周方向に配置される永久磁石と永久磁石の間）にスペーサを配置してもよい。
【手続補正８】
【補正対象書類名】明細書
【補正対象項目名】００１０
【補正方法】変更
【補正の内容】
【００１０】
［００１７］
請求項５に記載の発明は、請求項１乃至４の内いずれか１項に記載の磁力回転装置であって、前記第一界磁部が、強磁性体で表面が前記永久磁石の軌道面に沿うように山形状又は円弧状に形成され各々の前記永久磁石の前記コア側の端面に固着されて表面から出る磁束を分散させて均一化させる第一磁束遮蔽部材を備えた構成を有している。
この構成により、請求項１乃至４の内いずれか１項で得られる作用に加え、以下のような作用が得られる。
（１）第一界磁部が、強磁性体で表面が前記永久磁石の軌道面に沿うように山形状又は円弧状に形成され各々の永久磁石のコア側の端面に固着されて表面から出る磁束を分散させて均一化させる第一磁束遮蔽部材を備えていることにより、永久磁石の磁束が第一磁束遮蔽部材に導かれ、第一磁束遮蔽部材から出た磁束がコアに導かれる際に、磁束は永久磁石の軌道面に沿うように分散してタイミングをずらしながらコアに向かうので、第一磁束遮蔽部材がコアの第一対向面を通過する際に第一磁束遮蔽部材が単位時間当たりにコアから受ける吸引力（回転を阻害する力）も分散して小さくなる。これにより、わずかな駆動力でロータを回転させることができ、回転効率を向上させることができる。
［００１８］
ここで、第一磁束遮蔽部材としては、鉄，ケイ素鉄，パーマロイ，フェライト，アルニコ合金（Ｆｅ−Ａｌ−Ｎｉ−Ｃｏ合金）等の強磁性体で、塊状，板状等に形成されたものを用いることができる。硬磁性体，軟磁性体のいずれも用いることができ、着磁を施したものを用いることもできる。着磁を施した第一磁束遮蔽部材は、異方性、等方性のいずれも用いることができるが、異方性の第一磁束遮蔽部材を用いる場合は、配向方向がロータの回転方向に沿って向くように、第一磁束遮蔽部材を永久磁石に固着するのが望ましい。回転方向に沿って隣り合う第一磁束遮蔽部材間を結ぶ漏れ磁束を増加させ、ロータの回転負荷トルクを減少させられるからである。
第一磁束遮蔽部材は、厚いものを永久磁石の端面に一枚固着することができる。また、薄い第一磁束遮蔽部材を複数枚重ねて、永久磁石の端面に固着
【手続補正９】
【補正対象書類名】明細書
【補正対象項目名】００１２
【補正方法】変更
【補正の内容】
【００１２】
永久磁石の端面の回転軌道面は平面的な円環状となるので、第一磁束遮蔽部材の表面は、平坦状に形成するのが好ましい。
コアは、アルミニウム，ステンレス鋼，真鍮等の非磁性材料や合成樹脂等で形成されたケーシングに取り付けられ、磁気的に絶縁される。
［００２１］
第一磁束遮蔽部材と、第一磁束遮蔽部材と対向する第一対向面と、の間隔（ギャップ）は、回転効率に影響を与える。該間隔（ギャップ）を小さくすることで、回転効率を向上させることができ、回転数が低い場合でも大きなトルクを発生させることができる。このため、第一磁束遮蔽部材と第一対向面との間隔を調整する間隔調整手段を設けるのが望ましい。第一界磁部の外側にコアを配置して磁力回転装置を組立てる際、第一磁束遮蔽部材と第一対向面との間隔を、間隔調整手段を用いて所定の範囲内に調整することで、回転効率を高められるからである。
間隔調整手段としては、電動式，油圧式，機械式等の駆動機構を有し、永久磁石やコアを上下方向や左右方向に移動自在にして、第一磁束遮蔽部材と第一対向面の間隔を調整するものが用いられる。
尚、第一界磁部の外周を第一ロータ囲繞部で囲繞する場合は、第一磁束遮蔽部材の外表面を第一ロータ囲繞部で囲繞すればよい。
［００２２］
請求項６に記載の発明は、請求項１乃至５の内いずれか１項に記載の磁力回転装置であって、前記ロータの回転方向に沿って端面の磁極が交互に異なり、かつ、前記ロータの回転方向と略直交する位置に配置された永久磁石同士の端面の磁極が異なるように前記第一界磁部と並設された第二界磁部と、前記コアの他端部に形成され前記第二界磁部とギャップを介して対向する第二対向面と、を備え、前記ロータの回転方向と略直交する位置に配置された前記第一界磁部の永久磁石の端面の中心と前記第二界磁部の永久磁石の端面の中心とを結ぶ界磁側中心線と、前記第一対向面の中心と前記第二対向面の中心とを結ぶコア側中心線と、の間にずれ角αが形成されている構成を有している。
この構成により、請求項１乃至５の内いずれか１項で得られる作用に加え
【手続補正１０】
【補正対象書類名】明細書
【補正対象項目名】００１４
【補正方法】変更
【補正の内容】
【００１４】
流に位相差が生じ吸引力や反発力が低下する傾向がみられる。特に、１°より小さくなるか２０°より大きくなると、これらの傾向が著しくなるため、いずれも好ましくない。
［００２４］
請求項７に記載の発明は、請求項６に記載の磁力回転装置であって、強磁性体で形成され、前記第二界磁部の前記永久磁石の前記ロータ側の端部及び前記ロータの回転方向の両側部を囲繞する第二永久磁石囲繞部を備えた構成を有している。
この構成により、請求項６で得られる作用に加え、以下のような作用が得られる。
（１）強磁性体で形成され、第二界磁部の永久磁石のロータ側の端部及びロータの回転方向の両側部を囲繞する第二永久磁石囲繞部を有することにより、磁束の漏洩を抑え、永久磁石のコア側の端面での磁束密度を高められるので、コアに導かれる磁束密度も高くなり、コイルで発生する反発力や吸引力も増大して、ロータの回転を補助することができ、ロータの回転の安定性、駆動の効率性に優れる。
（２）第二界磁部の永久磁石のロータ側の端部及びロータの回転方向の両側部を囲繞する第二永久磁石囲繞部を有することにより、永久磁石の外周を保護できると共に、第二永久磁石囲繞部で永久磁石を簡単かつ確実に固定してロータからの永久磁石の脱落を防ぐことができ、組立作業性、耐久性に優れる。
［００２５］
ここで、第二永久磁石囲繞部の材質、形状、構造などは第一永久磁石囲撓部と同様なので説明を省略する。
尚、第一永久磁石囲繞部と第二永久磁石囲繞部は別々に独立して形成してもよいし、一体に形成或いは連結して形成してもよい。第一永久磁石囲繞部と第二永久磁石囲繞部を一体に形成或いは連結して形成した場合、１つの永久磁石囲繞部の両端側に、第一界磁部の永久磁石の他端面と第二界磁部の永久磁石の他端面とを固着することができ、さらに永久磁石の減磁を抑制することができる。
【手続補正１１】
【補正対象書類名】明細書
【補正対象項目名】００１５
【補正方法】変更
【補正の内容】
【００１５】
［００２６］
請求項８に記載の発明は、請求項６又は７に記載の磁力回転装置であって、常磁性材料で形成され、前記第二界磁部の外周を囲繞して前記ロータと共に回転する第二ロータ囲繞部を備えた構成を有している。
この構成により、請求項６又は７で得られる作用に加え、以下のような作用が得られる。
（１）常磁性材料で形成され、第二界磁部の外周を囲繞してロータと共に回転する第二ロータ囲繞部を備えることにより、第二ロータ囲繞部にロータの回転方向と同じ向きに力が働き、ロータの回転を加速或いは安定化させることができ、回転の効率性、安定性に優れ、出力されるトルクの増加、安定化を図ることができる。これは、ロータの回転時にコイルに磁界が発生し、その中を第二ロータ囲繞部が通過することにより、渦電流が発生するため、その磁界の作用によって第二ロータ囲繞部をロータの回転方向に付勢する力が発生していると考えている。
（２）第二界磁部の外周を第二ロータ囲繞部で囲繞することにより、ロータの回転時に、ロータ表面に突出した永久磁石が抵抗となることがなく、ロータをスムーズに回転させることができ、回転の効率性に優れると共に、ロータ外周の気流を安定させて、風切り音を低減することができ、低騒音性に優れる。
（３）第二界磁部の外周を囲繞する第二ロータ囲繞部によって永久磁石の外表面を確実に固定し、永久磁石の落下を防止することができ、永久磁石の固定の安定性、動作の確実性に優れる。
［００２７］
ここで、第二ロータ囲繞部は第一ロータ囲繞部と同様なので説明を省略する。尚、第一ロータ囲繞部と第二ロータ囲繞部は独立して形成してもよいし、一体に形成或いは連結して形成してもよい。
［００２８］
請求項９に記載の発明は、請求項６乃至８の内いずれか１項に記載の磁力回転装置であって、前記第二界磁部が、強磁性体で表面が前記永久磁石の軌道面に沿うように山形状又は円弧状に形成され各々の前記永久磁石の前記コア側の端面に固着されて表面から出る磁束を分散させて均一化させる第二
【手続補正１２】
【補正対象書類名】明細書
【補正対象項目名】００１６
【補正方法】変更
【補正の内容】
【００１６】
磁束遮蔽部材を備えた構成を有している。
この構成により、請求項６乃至８の内いずれか１項で得られる作用に加え、以下のような作用が得られる。
（１）第二界磁部が、強磁性体で表面が前記永久磁石の軌道面に沿うように山形状又は円弧状に形成され各々の永久磁石のコア側の端面に固着されて表面から出る磁束を分散させて均一化させる第二磁束遮蔽部材を備えていることにより、永久磁石の磁束が第二磁束遮蔽部材に導かれ、第二磁束遮蔽部材から出た磁束がコアに導かれる際に、磁束は永久磁石の軌道面に沿うように分散してタイミングをずらしながらコアに向かうので、第二磁束遮蔽部材がコアの第二対向面を通過する際に第二磁束遮蔽部材が単位時間当たりにコアから受ける吸引力（回転を阻害する力）も分散して小さくなる。これにより、わずかな駆動力でロータを回転させることができ、回転効率を向上させることができる。
［００２９］
ここで、第二界磁部における第二磁束遮蔽部材としては、前述の第一界磁部における第一磁束遮蔽部材と同様のものなので、説明を省略する。また、第二磁束遮蔽部材とコアの第二対向面とのギャップについても、前述の第一磁束遮蔽部材とコアの第一対向面とのギャップと同様なので、説明を省略する。
尚、第二磁束遮蔽部材の底面も、第一磁束遮蔽部材の底面と同様に、永久磁石の端面に密接させるのが好ましい。
また、第一磁束遮蔽部材と第二磁束遮蔽部材は独立して形成してもよいし、一体に形成或いは連結して形成してもよい。
［００３０］
請求項１０に記載の磁力アシスト付きモータは、請求項１乃至９の内いずれか１項に記載の磁力回転装置と、前記磁力回転装置の前記回転軸を回転させる駆動用モータと、を備えた構成を有している。
この構成により、以下のような作用が得られる。
（１）磁力回転装置の回転軸を回転させる駆動用モータを小型化することができ、小さな力で磁力回転装置のロータを回転させて大きな出力（トルク）
【手続補正１３】
【補正対象書類名】明細書
【補正対象項目名】００１７
【補正方法】変更
【補正の内容】
【００１７】
を得ることができ、省エネルギー性、駆動効率性に優れるので、自動車，船舶，鉄道，航空機，建設機械等に搭載する発電機等の駆動や工場，店舗，住宅等に電力を供給する自家発電用等の発電機等を駆動するのに好適な省エネルギー型のモータとして用いることができる。
［００３１］
ここで、磁力回転装置のロータの回転開始時は複数のコイルの各々の端末同士をオープンにすることにより、ロータの回転負荷トルクを著しく減少させ、わずかな駆動力でロータを回転させることができるので、駆動用モータを小型化することができるが、回転開始後に磁力回転装置のコイルの各々の端末同士をショートさせることにより、電磁誘導によってコイルに流れる電流でコイルを磁化させ、コイルと永久磁石との間に発生する反発力及び吸引力でロータの回転をアシストすることができるため、駆動用モータの消費電力を低減させて駆動効率を高めることができ、省エネルギー性に優れる。
発明の効果
［００３２］
以上のように構成された本発明の磁力回転装置及びそれを用いた磁力アシスト付きモータによれば、以下の効果が得られる。
請求項１に記載の発明によれば、以下のような効果が得られる。
（１）駆動用モータ等の回転駆動装置を小型化することができ、駆動時の省力性、省電力性に優れると共に、回転開始後はコイルの各々の端末同士をショートさせ電磁誘導によってコイルに流れる電流でコイルを磁化させ、コイルに発生する磁界の作用によって永久磁石との間に発生する反発力及び吸引力によってロータを回転させ、全てのコアが同時に永久磁石と重なることや全ての永久磁石が同時にコアと重なることがなく、少しずつタイミングをずらしながら各々のコイルを順次、磁化させることができ、全てのコイルから同時に反発力或いは吸引力が作用することがないので、ロータの回転にブレーキがかかることがなく、いずれかのコイルと永久磁石の間に働く反発力或いは吸引力によってロータの回転を助けて、ロータを安定して回転させることができ、ロータの回転の変動を抑えて常に略一定の安定した回転を行って、出力を高めることができるロータの回転の安定性、効率性、均一性、出力の安定性、省エネルギー性に優れた磁力回転装置を提供することができる。
［００３３］
【手続補正１４】
【補正対象書類名】明細書
【補正対象項目名】００１８
【補正方法】変更
【補正の内容】
【００１８】
［００３４］
請求項２に記載の発明によれば、請求項１に記載の効果に加え、以下のような効果が得られる。
（１）各々のコイルを流れる交流電流を直流電流に変換して出力することができるので、各々のブリッジ整流器の出力端子を並列に接続して並列回路を形成することができ、１つの切替部で並列回路のオンとオフを切替えるだけで、全てのコイルの各々の端末同士のショートとオープンを同時に切替えることが可能で、回路を簡素化することができる動作の簡便性、確実性、安定性に優れた磁力回転装置を提供することができる。
［００３５］
請求項３に記載の発明によれば、請求項１又は２に記載の効果に加え、以下のような効果が得られる。
（１）磁束の漏洩を抑え、永久磁石のコア側の端面での磁束密度を高めることができ、コアに導かれる磁束密度も高く、コイルで発生する反発力や吸引力も増大させて、ロータの回転を補助することができるロータの回転の安定性、駆動の効率性に優れた磁力回転装置を提供することができる。
［００３６］
請求項４に記載の発明によれば、請求項１乃至３の内いずれか１項に記載の効果に加え、以下のような効果が得られる。
（１）第一ロータ囲繞部にロータの回転方向と同じ向きに力が働き、ロータの回転を加速或いは安定化させ、出力されるトルクの増加、安定化を図ることができる回転の効率性、安定性に優れた磁力回転装置を提供することができる。
［００３７］
請求項５に記載の発明によれば、請求項１乃至４の内いずれか１項に記載の効果に加え、以下のような効果が得られる。
【手続補正１５】
【補正対象書類名】明細書
【補正対象項目名】００１９
【補正方法】変更
【補正の内容】
【００１９】
（１）第一磁束遮蔽部材がコアの第一対向面を通過する際に第一磁束遮蔽部材が単位時間当たりにコアから受ける吸引力（回転を阻害する力）を分散させて小さくし、わずかな駆動力でロータを回転させることができる回転の効率性に優れた磁力回転装置を提供することができる。
［００３８］
請求項６に記載の発明によれば、請求項１乃至５の内いずれか１項に記載の効果に加え、以下のような効果が得られる。
（１）ロータのいかなる位相においてもロータの回転を阻害するコアの磁界磁力を軽減させることができ、ロータの回転負荷トルクを軽減させることができる省力性、回転の効率性に優れた磁力回転装置を提供することができる。
［００３９］
請求項７に記載の発明によれば、請求項６に記載の効果に加え、以下のような効果が得られる。
（１）磁束の漏洩を抑え、永久磁石のコア側の端面での磁束密度を高めることができ、コアに導かれる磁束密度も高く、コイルで発生する反発力や吸引力も増大させて、ロータの回転を補助することができるロータの回転の安定性、駆動の効率性に優れた磁力回転装置を提供することができる。
［００４０］
請求項８に記載の発明によれば、請求項６又は７に記載の効果に加え、以下のような効果が得られる。
（１）第二ロータ囲繞部にロータの回転方向と同じ向きに力が働き、ロータの回転を加速或いは安定化させ、出力されるトルクの増加、安定化を図ることができる回転の効率性、安定性に優れた磁力回転装置を提供することができる。
［００４１］
請求項９に記載の発明によれば、請求項６乃至８の内いずれか１項に記載の効果に加え、以下のような効果が得られる。
（１）第二磁束遮蔽部材がコアの第二対向面を通過する際に第二磁束遮蔽部材が単位時間当たりにコアから受ける吸引力（回転を阻害する力）も分散させて小さくし、わずがな駆動力でロータを回転させることができる回転の効率性に優れた磁力回転装置を提供することができる。
【手続補正１６】
【補正対象書類名】明細書
【補正対象項目名】００２０
【補正方法】変更
【補正の内容】
【００２０】
［００４２］
請求項１０に記載の発明によれば、以下のような効果が得られる。
（１）磁力回転装置の回転軸を回転させる駆動用モータを小型化することができ、小さな力で磁力回転装置のロータを回転させて大きな出力（トルク）を得ることができ、省エネルギー性、駆動効率性に優れ、自動車，船舶，鉄道，航空機，建設機械等に搭載する発電機等の駆動や工場，店舗，住宅等に電力を供給する自家発電用等の発電機等を駆動するのに好適な省エネルギー型のモータを提供することができる。
図面の簡単な説明
［００４３］
［図１］実施の形態１の磁力回転装置の構成を示す模式図
［図２］実施の形態１の磁力回転装置を用いた磁力アシスト付きモータを示す模式平面図
［図３］実施の形態２の磁力回転装置の模式正面図
［図４］図３のＡ−Ａ線断面図
［図５］（ａ）実施の形態２の磁力回転装置の第一永久磁石囲繞部及び第二永久磁石囲繞部を示す模式斜視図  （ｂ）実施の形態２の磁力回転装置の第一磁束遮蔽部材及び第二磁束遮蔽部材を示す模式斜視図
発明を実施するための形態
［００４４］
以下、本発明を実施するための最良の形態を、図面を参照しながら説明する。尚、本発明は以下に説明する実施の形態に限定されるものではない。
（実施の形態１）
図１は実施の形態１の磁力回転装置の構成を示す模式図であり、図２は実施の形態１の磁力回転装置を備えた磁力アシスト付きモータを示す模式平面図である。
図１において、１は本発明の実施の形態１における磁力回転装置、２は磁力回転装置１の回転軸、３は非磁性の合成樹脂製やステンレス鋼等で円柱状に形成され回転軸２に取り付けられた磁力回転装置１のロータ、５はロータ３の回転方向に沿って後述するコア６側の端面４ａの磁極が交互に異なるように（Ｎ極とＳ極が交互になるように）永久磁石４が６個配置された磁力回
【手続補正１７】
【補正対象書類名】明細書
【補正対象項目名】００２３
【補正方法】変更
【補正の内容】
【００２３】
駆動効率を高めることができる。
スイッチング部８は、各々のコイル７の端末同士のオープンとショートを切替えることができればよいが、ロータ３の回転数などを検出して自動的にオープンとショートの切替えを行うものが好適に用いられる。
尚、スイッチング部８は本実施の形態に限られるものではなく、ブリッジ整流器９を用いて並列回路１０を形成する代わりに、各々のコイル７の端末間にオープンとショートを切替えるスイッチ（切替部）を設けてもよい。
［００４７］
本発明の実施の形態１における磁力回転装置によれば、以下のような作用が得られる。
（１）各々のコアに独立して巻回された複数のコイルと、ロータの回転開始時は複数のコイルの各々の端末同士をオープンにしロータの回転開始後は複数のコイルの各々の端末同士をショートさせるスイッチング部を有するので、回転開始時にコイルの各々の端末同士をオープンにして電磁誘導によりコイルに電流が流れないようにして、コイルが磁化しないようにすることで、ロータの回転負荷トルクを著しく減少させ、わずかな駆動力でロータを回転させることができる。永久磁石から各々のコアに導かれる磁束はロータの回転に従って変化するが、第一界磁部の永久磁石とコアが、それぞれ等角度間隔で配置される時に、第一界磁部の永久磁石の数とコアの数とが互いに相手方の数の整数倍でないことにより、全てのコアが同時に永久磁石と重なることや全ての永久磁石が同時にコアと重なることがなく、少しずつタイミングをずらしながら各々のコイルを順次、磁化させることができ、全てのコイルから同時に反発力或いは吸引力が作用することがないので、ロータの回転にブレーキがかかることがなく、いずれかのコイルと永久磁石の間に働く反発力或いは吸引力によってロータの回転を助けて、ロータを安定して回転させることができる。この結果、駆動用モータ等の回転駆動装置を小型化することができ、駆動時の省力性、省電力性に優れると共に、回転開始後はコイルの各々の端末同士をショートさせ電磁誘導によってコイルに流れる電流でコイルを磁化させ、コイルに発生する磁界の作用によって永久磁石との間に発生する反発力及び吸引力によってロータを回転させ、ロータの回転の変動を抑えて常に略一定の安定した回転を行って、出力を高めることができ、回転の効率性、均一性、出力の安定性、省エネルギー性に優れる。
（２）ロータの回転開始時と回転開始後に、スイッチング部により複数のコイルの各々の端末同士のオープンとショートを切替えるだけで、容易に回転開始時のロータの回転負荷トルクを低減させると共に、回転開始後のロータの回転を安定化させることができ、ロータの回転中に複雑な操作などを行う必要がなく、操作を簡素化することができ、量産性、制御の容易性に優れる。
【手続補正１８】
【補正対象書類名】明細書
【補正対象項目名】００２４
【補正方法】変更
【補正の内容】
【００２４】
（３）スイッチング部が、各々のコイルの端末間に接続されたブリッジ整流器を有することにより、各々のコイルを流れる交流電流を直流電流に変換して出力することができるので、各々のブリッジ整流器の出力端子を並列に接続して並列回路を形成することができ、並列回路に配設され複数のコイルの各々の端末同士のオープンとショートをまとめて切替える切替部で、全てのコイルの各々の端末同士のショートとオープンを同時に切替えることが可能で、回路を簡素化することができ、動作の簡便性、確実性、安定性に優れる。
（４）常磁性材料で形成され、第一界磁部の外周を囲繞してロータと共に回転する第一コータ囲繞部を有することにより、第一ロータ囲繞部にロータの回転方向と同じ向きに力が働き、ロータの回転を加速或いは安定化させることができ、回転の効率性、安定性に優れ、出力されるトルクの増加、安定化を図ることができる。これは、ロータの回転時にコイルに磁界が発生し、その中を第一ロータ囲繞部が通過することにより、渦電流が発生し、その磁界の作用によって第一ロータ囲繞部をロータの回転方向に付勢する力が発生しているためと考えている。
（５）第一界磁部の外周を第一ロータ囲繞部で囲繞することにより、ロータの回転時に、ロータ表面に突出した永久磁石が抵抗となることがなく、ロータをスムーズに回転させることができ、回転の効率性に優れると共に、ロー
【手続補正１９】
【補正対象書類名】明細書
【補正対象項目名】００２５
【補正方法】変更
【補正の内容】
【００２５】
タ外周の気流を安定させて、風切り音を低減することができ、低騒音性に優れる。
（６）第一界磁部の外周を囲繞する第一ロータ囲繞部によって永久磁石の外表面を確実に固定し、永久磁石の落下を防止することができ、永久磁石の固定の安定性、動作の確実性に優れる。
［００４８］
本発明の実施の形態１における磁力回転装置を用いた磁力アシスト付きモータによれば、以下のような作用が得られる。
（１）磁力回転装置の回転軸を回転させる駆動用モータを小型化することができ、小さな力で磁力回転装置のロータを回転させて大きな出力（トルク）を得ることができ、省エネルギー性、駆動効率性に優れるので、自動車，船舶，鉄道，航空機，建設機械等に搭載する発電機等の駆動や工場，店舗，住宅等に電力を供給する自家発電用等の発電機等を駆動するのに好適な省エネルギー型のモータとして用いることができる。
［００４９］
（実施の形態２）
図３は実施の形態２の磁力回転装置の模式正面図であり、図４は図３のＡ−Ａ線断面図であり、図５（ａ）は実施の形態２の磁力回転装置の第一永久磁石囲繞部及び第二永久磁石囲繞部を示す模式斜視図であり、図５（ｂ）は実施の形態２の磁力回転装置の第一磁束遮蔽部材及び第二磁束遮蔽部材を示す模式斜視図である。尚、実施の形態１と同様のものは同一の符号を付して説明を省略する。
図３及び図４において、６ｂは後述する第二界磁部１５と対向するようにコア６の他端部に形成された第二対向面、７ａ，７ｂはそれぞれコア６の第一対向面６ａ及び第二対向面６ｂの近くに巻回されたコイル、１５はロータ３の回転方向に沿って永久磁石１４のコア６側の端面１４ａの磁極が交互に異なるように（Ｎ極とＳ極が交互になるように）複数配置され、ロータ３の回転方向と略直交する位置に配置された永久磁石４の端面４ａと永久磁石１４の端面１４ａの磁極が異なるように第一界磁部５と並設された磁力回転装置１の第二界磁部、Ｘはロータ３の回転方向と略直交する位置に配置された
【国際調査報告】
2015076400.tif 000008
2015076400.tif 000009
2015076400.tif 000010
2015076400.tif 000011